(57)【要約】【課題】揚送清浄装置を遊技島に設置された遊技機の稼働状況に応じて効率よく駆動させることができる遊技島を提供すること。【解決手段】揚送清浄制御用コントローラ２２０は、揚送清浄処理におけるステップＳ１０３において近接センサ２１０Ｌ，２１０Ｒ；ｏｎになったと判定したとき、ステップＳ１０４にて停止期間タイマの値が３１〜１２０秒の間であるときにはステップＳ１０５にて清浄開始待ちタイマに１２０秒をセットし、ステップＳ１０４にて停止期間タイマの値が３１〜１２０秒の間でないときにはステップＳ１０７にて清浄開始待ちタイマに１８０秒をセットする。そして、セットされた清浄開始時間が経過したら可動板２０１Ｌ，２０１Ｒを開放位置に移動させ、揚送清浄モータ８０を駆動させて揚送清浄動作を開始させる。【選択図】図１０
2015029718.tif 000002
【特許請求の範囲】
【請求項１】
遊技機が設置される遊技島であって、
前記遊技機から排出される遊技媒体を回収する回収通路と、
前記回収通路にて回収された遊技媒体を清浄する清浄装置と、
前記清浄装置にて清浄される遊技媒体が前記回収通路に所定量以上滞留しているか否かを判定する判定手段と、
前記判定手段が前記所定量以上滞留していると判定したときから所定時間が経過したことに基づいて、前記清浄装置による遊技媒体の清浄動作を開始させるとともに、前記判定手段が前記所定量以上滞留していないと判定したことに基づいて、該清浄装置による遊技媒体の清浄動作を停止させる制御を行う制御手段と、
前記判定手段が前記所定量以上滞留していないと判定したことに基づいて計時を開始する計時開始手段と、
前記判定手段が前記所定量以上滞留していると判定したときに、前記計時手段により計時された時間に応じて前記所定時間を変更させる時間変更手段と、
を備える
ことを特徴とする遊技島。
【請求項２】
遊技機が設置される遊技島であって、
前記遊技機から排出される遊技媒体を回収する回収通路と、
前記回収通路にて回収された遊技媒体を清浄する清浄装置と、
前記清浄装置にて清浄される遊技媒体が前記回収通路に所定量以上滞留しているか否かを判定する判定手段と、
前記判定手段が前記所定量以上滞留していると判定したときから所定時間が経過したことに基づいて、前記清浄装置による遊技媒体の清浄動作を開始させるとともに、前記判定手段が前記所定量以上滞留していないと判定したことに基づいて、該清浄装置による遊技媒体の清浄動作を停止させる制御を行う制御手段と、
前記判定手段が前記所定量以上滞留していると判定したことに基づいて計時を開始する計時開始手段と、
前記判定手段が前記所定量以上滞留していると判定したときに、前記計時手段により計時された時間に応じて前記所定時間を変更させる時間変更手段と、
を備える
ことを特徴とする遊技島。
【発明の詳細な説明】
【技術分野】
【０００１】
本発明は、遊技機が設置される遊技島に関する。
【背景技術】
【０００２】
この種の遊技島は、パチンコ遊技機から排出され回収された遊技球（遊技媒体）を遊技島の上部に設けられた上部タンクに向けて揚送しつつ清浄する揚送清浄装置が設けられており、該揚送清浄装置にて揚送され上部タンクに排出された遊技球は、該上部タンクから供給樋等を介して複数の遊技機に供給されることで、遊技島内において遊技球が循環するようになっている。
【０００３】
この種の揚送清浄装置として、例えば、各遊技機から排出されたアウト球と上部タンクから溢れた戻り球とを集合させて揚送清浄装置に供給する集合器を備え、該集合器に集合するアウト球数と戻り球数とを計数して加算し、一定時間内における積算値が大きい場合、つまり集合器に集合する遊技球の量が多い場合は揚送清浄スピードを増加し、遊技球の量が少ない場合は揚送清浄スピードを低下させることで、揚送清浄すべき遊技球の量に応じて遊技球を最小限のエネルギーで揚送できるようにするとともに、アウト球や戻り球がない場合には揚送清浄装置の駆動が停止され、ある程度の遊技球が溜まったら揚送清浄装置の駆動が開始されるもの等があった（例えば、特許文献１参照）。
【先行技術文献】
【特許文献】
【０００４】
【特許文献１】特開平０９−３８３２４号公報
【発明の概要】
【発明が解決しようとする課題】
【０００５】
上記特許文献１に記載の遊技島では、揚送清浄すべき遊技球がなくなり揚送清浄装置の駆動が停止された後、ある程度の遊技球が溜まったら揚送清浄装置の駆動が開始されるが、アウト球と戻り球との集合状況などによっては、揚送清浄装置の駆動の停止と開始が頻繁に繰り返されてしまうことがあるという問題があった。
【０００６】
本発明は、このような問題点に着目してなされたもので、揚送清浄装置を遊技島に設置された遊技機の稼働状況に応じて効率よく駆動させることができる遊技島を提供することを目的とする。
【課題を解決するための手段】
【０００７】
前記課題を解決するために、本発明の請求項１に記載の遊技島は、
遊技機（例えば、パチンコ遊技機２）が設置される遊技島（例えば、遊技島１）であって、
前記遊技機から排出される遊技媒体（例えば、遊技球）を回収する回収通路（例えば、回収樋１７，１７、誘導樋１９、流下溝９Ｌ，９Ｒ、接続樋１０Ｌ，１０Ｒ、合流通路１１）と、
前記回収通路にて回収された遊技媒体を清浄する清浄装置（例えば、揚送清浄装置２５）と、
前記清浄装置にて清浄される遊技媒体が前記回収通路に所定量以上滞留しているか否かを判定する判定手段（例えば、揚送清浄制御用コントローラ２２０が、図１０に示す揚送清浄処理におけるステップＳ１０３において近接センサ２１０Ｌ，２１０Ｒ；ｏｎになったか否かを判定する部分）と、
前記判定手段が前記所定量以上滞留していると判定したときから所定時間が経過したことに基づいて、前記清浄装置による遊技媒体の清浄動作を開始させるとともに、前記判定手段が前記所定量以上滞留していないと判定したことに基づいて、該清浄装置による遊技媒体の清浄動作を停止させる制御を行う制御手段（例えば、揚送清浄制御用コントローラ２２０が、図１０に示す揚送清浄処理におけるステップＳ１０３において近接センサ２１０Ｌ，２１０Ｒ；ｏｎになったと判定した後、ステップＳ１０９において清浄開始待ちタイマのタイマ値が０になったと判定したときに可動板２０１Ｌ，２０１Ｒを開放位置に移動して揚送清浄モータを駆動させる。また、ステップＳ１２１において近接センサ２１０Ｌ，２１０Ｒ；ｏｆｆになったと判定した後、ステップＳ１２７において清浄停止待ちタイマのタイマ値が０になったと判定したときに可動板２０１Ｌ，２０１Ｒを閉鎖位置に移動して揚送清浄モータを停止させる部分）と、
前記判定手段が前記所定量以上滞留していないと判定したことに基づいて計時を開始する計時開始手段（例えば、揚送清浄制御用コントローラ２２０が、図１０に示す揚送清浄処理におけるステップＳ１２１において近接センサ２１０Ｌ，２１０Ｒ；ｏｆｆになったと判定したとき、ステップＳ１２５にて停止期間タイマをスタートさせて計時を開始する部分）と、
前記判定手段が前記所定量以上滞留していると判定したときに、前記計時手段により計時された時間に応じて前記所定時間を変更させる時間変更手段（例えば、揚送清浄制御用コントローラ２２０が、図１０に示す揚送清浄処理におけるステップＳ１０３において近接センサ２１０Ｌ，２１０Ｒ；ｏｎになったと判定したとき、ステップＳ１０４にて停止期間タイマの値が３１〜１２０秒の間であるときにはステップＳ１０５にて清浄開始待ちタイマに１２０秒をセットし、ステップＳ１０４にて停止期間タイマの値が３１〜１２０秒の間でないときにはステップＳ１０７にて清浄開始待ちタイマに１８０秒をセットし、ステップＳ１２８にて近接センサ２１０Ｌ，２１０Ｒ；ｏｎになったと判定したときには、清浄開始待ちタイマに値をセットせずに可動板２０１Ｌ，２０１Ｒを開放位置に移動させる部分）と、
を備える
ことを特徴としている。
この特徴によれば、清浄動作を停止したときから回収通路に所定量以上の遊技媒体が滞留するまでの時間が短い場合、つまり、稼働している遊技機が多い場合は清浄動作を早く開始させ、回収通路に所定量以上の遊技媒体が滞留するまでの時間が長い場合、つまり、稼働している遊技機が少ない場合は清浄動作を余裕をもって開始させるなど、遊技機の稼働状況に応じて効率よく清浄動作を行うことが可能となる。
【０００８】
本発明の請求項２に記載の遊技島は、
遊技機（例えば、パチンコ遊技機２）が設置される遊技島（例えば、遊技島１）であって、
前記遊技機から排出される遊技媒体（例えば、遊技球）を回収する回収通路（例えば、回収樋１７，１７、誘導樋１９、流下溝９Ｌ，９Ｒ、接続樋１０Ｌ，１０Ｒ、合流通路１１）と、
前記回収通路にて回収された遊技媒体を清浄する清浄装置（例えば、揚送清浄装置２５）と、
前記清浄装置にて清浄される遊技媒体が前記回収通路に所定量以上滞留しているか否かを判定する判定手段（例えば、揚送清浄制御用コントローラ２２０が、図１５に示す変形例としての揚送清浄処理におけるステップＳ１０３において近接センサ２１０Ｌ，２１０Ｒ；ｏｎになったか否かを判定する部分）と、
前記判定手段が前記所定量以上滞留していると判定したときから所定時間が経過したことに基づいて、前記清浄装置による遊技媒体の清浄動作を開始させるとともに、前記判定手段が前記所定量以上滞留していないと判定したことに基づいて、該清浄装置による遊技媒体の清浄動作を停止させる制御を行う制御手段（例えば、揚送清浄制御用コントローラ２２０が、図１５に示す変形例としての揚送清浄処理におけるステップＳ１０３において近接センサ２１０Ｌ，２１０Ｒ；ｏｎになったと判定した後、ステップＳ１０９において清浄開始待ちタイマのタイマ値が０になったと判定したときに可動板２０１Ｌ，２０１Ｒを開放位置に移動して揚送清浄モータを駆動させる。また、ステップＳ１２１において近接センサ２１０Ｌ，２１０Ｒ；ｏｆｆになったと判定した後、ステップＳ１２７において清浄停止待ちタイマのタイマ値が０になったと判定したときに可動板２０１Ｌ，２０１Ｒを閉鎖位置に移動して揚送清浄モータを停止させる部分）と、
前記判定手段が前記所定量以上滞留していると判定したことに基づいて計時を開始する計時開始手段（例えば、揚送清浄制御用コントローラ２２０が、図１５に示す変形例としての揚送清浄処理におけるステップＳ１０３において近接センサ２１０Ｌ，２１０Ｒ；ｏｎになったと判定したとき、ステップＳ１０６ａにて清浄開始待ち時間設定用タイマをリセットし、再スタートさせて計時を開始する部分）と、
前記判定手段が前記所定量以上滞留していると判定したときに、前記計時手段により計時された時間に応じて前記所定時間を変更させる時間変更手段（例えば、揚送清浄制御用コントローラ２２０が、図１５に示す変形例としての揚送清浄処理におけるステップＳ１０３において近接センサ２１０Ｌ，２１０Ｒ；ｏｎになったと判定したとき、ステップＳ１０４ａにて清浄開始待ち時間設定用タイマの値が２００〜３００秒の間であるときにはステップＳ１０５にて清浄開始待ちタイマに１２０秒をセットし、ステップＳ１０４ａにて清浄開始待ち時間設定用タイマの値が２００〜３００秒の間でないときにはステップＳ１０７にて清浄開始待ちタイマに１８０秒をセットし、ステップＳ１２８にて近接センサ２１０Ｌ，２１０Ｒ；ｏｎになったと判定したときには、清浄開始待ちタイマに値をセットせずに可動板２０１Ｌ，２０１Ｒを開放位置に移動させる部分）と、
を備える
ことを特徴としている。
この特徴によれば、清浄動作を開始したときから次に回収通路に所定量以上の遊技媒体が滞留するまでの時間が短い場合、つまり、稼働している遊技機が多い場合は清浄動作を早く開始させ、次に回収通路に所定量以上の遊技媒体が滞留するまでの時間が長い場合、つまり、稼働している遊技機が少ない場合は清浄動作を余裕をもって開始させるなど、遊技機の稼働状況に応じて効率よく清浄動作を行うことが可能となる。
【０００９】
本発明の手段１の遊技島は、請求項１または請求項２に記載の遊技島であって、
前記回収通路（例えば、回収樋１７，１７、誘導樋１９、流下溝９Ｌ，９Ｒ、接続樋１０Ｌ，１０Ｒ、合流通路１１）に滞留している遊技媒体（例えば、遊技球）を検出する検出手段（例えば、近接センサ２１０Ｌ，２１０Ｒ）と、
前記清浄装置（例えば、揚送清浄装置２５）と前記検出手段との間に設けられ、該清浄装置への遊技媒体の流入を許容する許容状態と許容しない非許容状態とに変化可能な可動手段（例えば、シャッタ装置２００Ｌ，２００Ｒ／シャッタ装置５００）と、
を備え、
前記判定手段は、前記検出手段による検出結果に基づいて前記回収通路に所定量以上の遊技媒体が滞留しているか否かを判定し（例えば、揚送清浄制御用コントローラ２２０が、図１０に示す揚送清浄処理におけるステップＳ１０３において近接センサ２１０Ｌ，２１０Ｒ；ｏｎになったか否かを判定する部分）、
前記制御手段は、前記判定手段が前記所定量以上滞留していないと判定したことに基づいて、該清浄装置による遊技媒体の清浄動作を停止させる制御として、前記可動手段と前記検出手段との間に遊技媒体がある状態で該可動手段を前記許容状態から前記非許容状態に変化させた後、該可動手段と前記清浄装置との間にある遊技媒体が清浄され排出されるまでに必要な時間が経過してから、前記清浄装置による遊技媒体の清浄動作を停止させる（例えば、揚送清浄制御用コントローラ２２０が、図１０に示す揚送清浄処理におけるステップＳ１２１において近接センサ２１０Ｌ，２１０Ｒ；ｏｆｆになったと判定したとき、ステップＳ１２２にてシャッタ装置２００Ｌ，２００Ｒを非許容状態に変化させ、ステップＳ１２３にて清浄停止待ちタイマに３０秒に相当する値をセットし、その後、ステップＳ１２７にて清浄停止待ちタイマの値が０になったと判定したときに、ステップＳ１３１にて揚送清浄モータ８０を停止させる部分）
ことを特徴としている。
この特徴によれば、可動手段の手前側に遊技媒体がある状態で該可動手段を許容状態から非許容状態に変化させるので、非許容状態において遊技媒体が直接可動手段に衝突することを防止できる。
【００１０】
本発明の手段２の遊技島は、請求項１、請求項２、手段１のいずれかに記載の遊技島であって、
前記清浄装置（例えば、揚送清浄装置２５）に供給するための電力を直流電力から交流電力に変換するためのインバータ（例えば、インバータ２４０）と、
前記インバータを囲う金属製のケース（例えば、金属ボックス２４１）と、
を備える
ことを特徴としている。
この特徴によれば、インバータを使用することにより発生するノイズにより周辺機器に影響を与えることを回避できる。
【００１１】
本発明の手段３の遊技島は、請求項１、請求項２、手段１、手段２のいずれかに記載の遊技島であって、
前記清浄装置（例えば、揚送清浄装置２５）は、内部を通流する遊技媒体（例えば、遊技球）の表面汚れを除去するための清浄筒を備え、
前記清浄筒は、ベースとなる筒体と、該筒体内に形成された高分子樹脂層とを有してなり（図２５参照）、
前記高分子樹脂層は、４０±０．５℃、９０±２％ＲＨにおける水蒸気透過度が１０００ｇ／ｍ2・２４ｈ以下である
ことを特徴としている。
この特徴によれば、清浄筒の内部に遊技球を通流させる場合に、清浄筒の筒体の内面の層の高分子樹脂層の水蒸気透過度が所定値以下であるので、遊技球の汚れ（たとえば、乳酸塩）の水分を残し易くすることができる。その結果、遊技球の汚れを落とし難くすることなく汚れを除去することが可能な清浄手段を提供することができる。
【００１２】
本発明の手段４の遊技島は、請求項１、請求項２、手段１〜３のいずれかに記載の遊技島であって、
前記回収通路が複数接続され該複数の回収通路の遊技球を合流させて前記清浄装置へ流入可能とする合流通路（合流通路５５０）と、
前記合流通路の少なくとも一部を構成するとともに、該合流通路における前記複数の回収通路の遊技球が合流する合流部（合流通路５５０において、接続樋１０Ｌ，１０Ｒに対応する接続口５０５Ｌ，５０５Ｒ、及び渡り樋５０７に対応する接続口５０６に囲まれた部分）に該回収通路に対し変位（揺動）可能に設けられた可動通路部材（揺動通路部材５５１）と、
前記可動通路部材を、前記回収通路の遊技球を前記清浄装置へ流入可能とする流入位置（図２２（ａ）参照）と、前記回収通路の遊技球の前記清浄装置への流入を規制する規制位置（図２２（ｂ）参照）との間で変位させる駆動手段（昇降モータ５８０、昇降ロッド５８１、ギヤボックス５８２、昇降体５８３、リンク部材５７４及び制御装置）と、を備え、
前記可動通路部材は、
遊技球が通過する通路部（通路板部５６０）と、
前記通路部の周縁における前記回収通路に対応する位置（左右側辺と後辺）に設けられ、該回収通路から該通路部への遊技球の流入を規制する規制部（規制片５６４Ｌ，５６４Ｒ，５６４Ｂ）と、を含み、
前記流入位置では、前記通路部が前記回収通路と同高さまたは下方に位置するとともに、前記規制部が前記回収通路から退避し（図２２（ａ）、図２３（ａ）参照）、
前記規制位置では、前記通路部が前記回収通路の上方に位置するとともに、前記規制部が前記回収通路側に進出する（図２２（ｂ）、図２３（ｃ）参照）、
ことを特徴としている。
この特徴によれば、回収通路の遊技球は、可動通路部材が流入位置にあるときは、通路部が回収通路と同じ高さか下方に位置するとともに規制部が退避するため、通路部に流入可能となり、可動通路部材が規制位置にあるときは、通路部が回収通路の上方に位置することで該通路部への流入が困難または不可となるとともに、規制部が回収通路に進出することで、通路部への流入が阻止される。また、可動通路部材を合流部に設けることで、各回収通路に対応する規制部を通路部に一体に設けることができ、これにより可動通路部材の移動に応じて複数の規制部が一斉に移動して複数の回収通路からの遊技球の流下を規制できるため、各回収通路毎に規制部を変位可能に設ける必要がないばかりか、通路部材を利用して複数の規制部を連動させることができるので、部品点数を削減して構造を簡素化し、製造コストを低減することができる。
【００１３】
本発明の手段５の遊技島は、手段４に記載の遊技島であって、
前記規制部（規制片５６４Ｌ，５６４Ｒ，５６４Ｂ）は、前記通路部（通路板部５６０）の周縁における前記回収通路に対応する位置から下方に向けて連設される壁部にて構成されている、
ことを特徴としている。
この特徴によれば、可動通路部材が上昇することにより壁部が下方から上昇して回収通路からの遊技球の流出を規制するので、合流通路と回収通路との接続位置にある遊技球が壁部に挟まれること等が防止される。
【００１４】
本発明の手段６の遊技島は、手段４または５に記載の遊技島であって、
前記可動通路部材（揺動通路部材５５１）は、
前記回収通路（接続樋１０Ｌ，１０Ｒ、渡り樋５０７等）の幅方向の一端側に、該幅方向に対し略直交する方向に設けられた回動軸（回動軸５６７Ｌ，５６７Ｒ）を中心として揺動可能に設けられる（図２２参照）、
ことを特徴としている。
この特徴によれば、可動通路部材は、規制位置に向けて移動する際に、回収通路の幅方向の一端側から他端側に向けて徐々に回収通路上に進出していくことで、遊技球が徐々に規制または解除されるため、幅方向にわたり一斉に進出させる場合に比べて、駆動手段に無理な負荷がかかりにくい。
【００１５】
本発明の手段７の遊技島は、手段４〜６のいずれかに記載の遊技島であって、
前記回動軸（回動軸５６７Ｌ，５６７Ｒ）は、前記回収通路（接続樋１０Ｌ，１０Ｒ）に対し該回収通路の幅方向に離れた位置に設けられている（図２２参照）、
ことを特徴としている。
この特徴によれば、回収通路の幅方向にわたり可動通路部を回収通路上に進出させることができるので、遊技球の流入を確実に規制できる。
【００１６】
本発明の手段８の遊技島は、手段４に記載の遊技島であって、
前記可動通路部材（揺動通路部材５５１）を、前記回収通路（接続樋１０Ｌ，１０Ｒ、渡り樋５０７等）に対し略平行な状態で前記流入位置と前記規制位置との間で直線移動可能に支持する支持手段を備える（図２４参照）、
ことを特徴としている。
この特徴によれば、可動通路部材は、規制位置または流入位置に移動する際に、回収通路の幅方向にわたり一斉に進出または退避するので、回収通路の遊技球を一斉に規制または解除することができるため、遊技球を速やかに規制または解除できる。また、支持手段により支持されるため、規制部に回収通路からの球圧がかかっている状態でも、安定して移動させることができる。
【図面の簡単な説明】
【００１７】
【図１】本発明の実施例としての遊技島の内部構造を示す断面図である。
【図２】図１のＡ−Ａ断面図である。
【図３】図１のＢ−Ｂ断面図である。
【図４】遊技島の中央下部の内部構造を示す平面図である。
【図５】（Ａ）は揚送清浄装置を斜め前から見た斜視図、（Ｂ）は揚送清浄装置を斜め後ろから見た斜視図である。
【図６】揚送清浄装置の内部構造を示す断面図である。
【図７】図６のＣ−Ｃ断面図である。
【図８】揚送清浄装置と流下溝との接続構造を示す概略断面図である。
【図９】（Ａ）は揚送清浄装置の回路構成の一例を示す説明図、（Ｂ）は揚送清浄動作、（Ｃ）は清浄開始待ち時間の設定状況を示す説明図である。
【図１０】揚送清浄制御用コントローラが実行する揚送清浄処理の制御内容を示すフローチャートである。
【図１１】（Ａ）〜（Ｃ）は揚送清浄動作に伴う遊技球の回収状況の一例を示す説明図である。
【図１２】（Ｄ）〜（Ｆ）は揚送清浄動作に伴う遊技球の回収状況の一例を示す説明図である。
【図１３】（Ａ）は停止期間が１２１秒以上の場合、（Ｂ）は停止期間が３１秒〜１２０秒の場合の揚送清浄動作の開始タイミングを示すタイミングチャートである。
【図１４】停止期間が０〜３０秒の場合の揚送清浄動作の開始タイミングを示すタイミングチャートである。
【図１５】変形例としての揚送清浄制御用コントローラが実行する揚送清浄処理の制御内容を示すフローチャートである。
【図１６】揚送清浄装置の下部構造を示す要部拡大断面図である。
【図１７】変形例としてのシャッタ装置を斜め後ろから見た状態示す斜視図である。
【図１８】変形例としてのシャッタ装置を斜め前から見た状態を示す斜視図である。
【図１９】変形例としてのシャッタ装置の内部構造を示す斜視図である。
【図２０】変形例としてのシャッタ装置の内部構造を示す縦断面図である。
【図２１】図２０のＣ−Ｃ断面図である。
【図２２】（ａ）は流入位置、（ｂ）は規制位置における可動通路部材と接続口との位置関係を示すである。
【図２３】変形例としてのシャッタ装置による流下規制状況を示す概略図である。
【図２４】他の変形例としてのシャッタ装置を示す断面図である。
【図２５】揚送パイプの紙パイプの構造を示す図である。
【発明を実施するための形態】
【００１８】
本発明の実施例を以下に説明する。
【実施例】
【００１９】
本発明が適用された遊技島について、図面に基づいて説明する。図１は、本発明が適用された遊技島の内部構造を示す断面図である。図２は、図１のＡ−Ａ断面図である。図３は、図１のＢ−Ｂ断面図である。図４は、遊技島の中央下部の内部構造を示す平面図である。尚、以下の説明において、説明の便宜上、図１の手前側を遊技島の前側、奥側を後側、左右方向を左右側として説明する。
【００２０】
図１に示されるように、遊技島１は、左右方向に向けて細長に形成されており、その前後面には、遊技機の一例であるパチンコ遊技機２及び該パチンコ遊技機２において遊技に使用する遊技球としてのパチンコ球の貸出を実施させる球貸処理機（図示略）が、長手方向（左右方向）に向けて複数列設されている。
【００２１】
遊技島１の略中央上部には、パチンコ球が貯留される上部タンク３が設けられており、この上部タンク３内に貯留されたパチンコ球は、遊技島１内の長手方向両端部に向かってそれぞれ下方に傾斜するように配設された左右の供給樋４に流入するようになっている。これら左右の供給樋４には、流下するパチンコ球を各パチンコ遊技機２に供給するための支流樋５が、供給樋４の前後（球の流下方向に向かって左右）の側板に、流下方向に向かって所定間隔おきに複数配設されており、これら支流樋５に供給されたパチンコ球は、各パチンコ遊技機２の背面に設けられた球タンク６に供給されるようになっている。
【００２２】
左右の供給樋４それぞれの下流側端部には、例えばメンテナンス時等において供給樋４内のパチンコ球を後述する流下溝９Ｌ，９Ｒ内にそれぞれ流出させる球抜き管７が設けられている。尚、通常時にはこの球抜き管７内をパチンコ球が流下しないようになっている。
【００２３】
遊技島１の内部には、パチンコ遊技機２より排出されたアウト球を受け入れて後述する流下溝９Ｌ，９Ｒに排出するアウトタンク８が、パチンコ遊技機２が載置される膳板１３の上面に、各パチンコ遊技機２に対応するように複数設けられている。尚、各アウトタンク８からは排出ノズル８ａが下方に向けて延設されており、受け入れた球をこの排出ノズル８ａを介して排出するようになっている。
【００２４】
また、上部タンク３からは、該上部タンク３内部に貯留されるパチンコ球の貯留量が所定量以上となってオーバーフローしたパチンコ球を、後述する流下溝９Ｌ，９Ｒそれぞれに導くオーバーフロー樋１２が左右に向けて延設されているとともに、これら左右のオーバーフロー樋１２の下流側端部からは、オーバーフロー管１８が垂下されている。
【００２５】
左右の流下溝９Ｌ，９Ｒは遊技球流路を構成しており、図１〜図３に示されるように、当該遊技島１の内部前後左右側にそれぞれ配置される木製の側板９ａ〜９ｄ及び底板９ｅにより、上面が開口する横長箱状にそれぞれ形成されており、遊技島１の長手方向の略中央位置に配置される揚送清浄装置２５を挟んでその左右側、つまり遊技島１の左右両側（長手方向の両側）の下部にそれぞれ配置される。
【００２６】
流下溝９Ｌ，９Ｒそれぞれにおける前後の側板９ａ，９ｂ及び底板９ｅは、遊技島１の左右方向に向けて横長に形成されている。底板９ｅは、その上面が遊技島１の長手方向の端部側から中央の揚送清浄装置２５側に向けて下方に傾斜するように配設されており、パチンコ球が流下（移動）する遊技球流路を構成している。また、この底板９ｅの上面には、該底板９ｅの上面を幅方向にわたり保護するための遊技球流路保護部材５０（以下、流路保護部材５０と略称する）が、底板９ｅの長手方向に向けて敷設されている。
【００２７】
図２及び図３に示されるように、流路保護部材５０は、底板９ｅの前後幅方向の側端部、つまりパチンコ球の流下方向に向かって左右側端部にそれぞれ配設される一対の側部樋５１，５２から構成されている。尚、底板９ｅ、側部樋５１，５２の幅方向とは、図１における前後幅方向、つまりパチンコ球の流下方向（各部材の長手方向）に向かって直交する方向である。
【００２８】
これら一対の側部樋５１，５２とは、塩化ビニル樹脂材を押し出し成形により流下溝９Ｌの底板９ｅの長手方向に向けて連続する板状にそれぞれ別個に形成されている。特に側部樋５１，５２にあっては、いわゆる２色・異材質成形により、後述する球受部５６が軟質材、板状部５４及び側壁部５５が硬質材にて一体的に形成されており、球受部５６にてアウトタンク８から排出ノズル８ａを介して排出されるパチンコ球の衝撃及び衝撃音を吸収できるようになっている。尚、流路保護部材５０の材質は上記塩化ビニル樹脂材に限定されるものではなく、該流路保護部材５０上に落下されるパチンコ球（例えばパチンコ遊技機２の球タンク６や供給樋４，オーバーフロー樋１２等から零れ落ちた球等）による衝撃により破損することなく、かつ、衝撃や衝撃音を吸収しうる性質を有するものであれば、他の合成樹脂材あるいは金属材等にて構成してもよい。また、このような流路保護部材５０は必ずしも設けられていなくてもよい。
【００２９】
側部樋５１，５２は、所定幅寸法を有する板状部５４と、該板状部５４の外側端部から上方に向けて連設される側壁部５５と、該側壁部５５の上部に内向きに突設される球受部５６と、から構成され、それぞれ球の流下方向に向かって左右対称に形成されている。つまり、これら一対の側部樋５１，５２は、押し出し成形により所定長さに形成した２つの部材を、底板９ｅの上面に互いに対向配置すればよいため、製造コストを効果的に低減できる。なお、パチンコ球が流下する流路底面５４ａを構成する板状部５４の上面は、幅方向の中央に向けて若干下方に傾斜するように形成されており、パチンコ球が外側端部に滞留することが防止されている。
【００３０】
また、遊技島１の左側端部には、遊技者が獲得したパチンコ球を計数するための計数装置１５が配設されており、この計数装置１５内に投入されたパチンコ球は、該計数装置１５に設けられている球投入口１５ａから連設された返却路１６を介して、流下溝９Ｌ内に配設された誘導樋１９に流入し、該誘導樋１９により揚送清浄装置２５側まで誘導された後、流下溝９Ｌ内に落下するようになっている。つまり、計数装置１５にて計数された計数済み球は、遊技島１の内部左側に配設された流下溝９Ｌに返却されるようになっている。
【００３１】
誘導樋１９は、図１及び図３に示されるように、所定の前後幅寸法を有するとともに前後幅方向に向けて略水平をなす水平面部１９ａと、該水平面部１９ａにおける前後幅方向の両端側から外方に向けて上方に傾斜するように連設される傾斜面部１９ｂ，１９ｂとが屈曲形成されてなる１枚の金属板からなり、流下溝９Ｌの内部における前後幅方向の中央所定高さ位置に、返却路１６から揚送清浄装置２５側に向けて下方に傾斜するように延設されている。尚、該誘導樋１９の上面には、ゴム製の保護シート（図示略）が敷設されており、流下するパチンコ球との当接や、遊技島１の内部上方から落下してくるパチンコ球（例えばパチンコ遊技機２の球タンク６や供給樋４，オーバーフロー樋１２等から零れ落ちた球等）による誘導樋１９の損傷が防止されている。
【００３２】
また、誘導樋１９の下流側端部は、図１に示されるように流下溝９Ｌ内部における揚送清浄装置２５側に立設された区画板２１まで延設されており、該誘導樋１９上を流下してくる計数球は、流下溝９Ｌ内部における区画板２１よりも上流側に落下されるようになっている。尚、誘導樋１９上を流下してくる計数球は、流下途中または下流側端部に設けられた幅方向を向く球受板（図示略）に衝突すること等により、該水平面部１９ａから傾斜面部１９ｂに乗り上げて該傾斜面部１９ｂの外端縁から落下するようになっている（図４参照）。
【００３３】
流下溝９Ｌ内部における区画板２１よりも上流側に落下した球は、区画板２１の下部に形成された連通口２１ａ（図１参照）を通過して区画板２１よりも下流側に形成される合流部２２内に流入した後、後述する接続樋１０Ｌ及び合流通路１１を介して揚送清浄装置２５に供給される。
【００３４】
誘導樋１９の前後幅方向の両側方には、図３に示されるように、遊技島１の前後面にそれぞれ配設された各アウトタンク８から排出されるパチンコ球を回収する回収樋１７，１７が並設されている。回収樋１７，１７は、硬質の塩化ビニル樹脂により樋状に形成されており、流下溝９Ｌの内部における誘導樋１９よりも若干上方位置に、計数装置１５側から揚送清浄装置２５側に向けて下方に傾斜するように配設されており、その下流側端部は区画板２１の上方を越えて合流部２２まで延設されている。
【００３５】
このように、各パチンコ遊技機２からアウトタンク８を介して排出されるパチンコ球は、回収樋１７，１７を流下して合流部２２内に排出されるため、誘導樋１９を流下する計数球よりも優先して揚送清浄装置２５に誘導されるようになっている。
【００３６】
すなわち、流下溝９Ｌ，９Ｒは、中央の揚送清浄装置２５から左右端部側に向けてそれぞれ並設される各パチンコ遊技機２からアウトタンク８を介して排出されるパチンコ球を長手方向にわたり受け入れることができるように構成されており、左側の流下溝９Ｌは、計数装置１５にて計数された計数済み球を長手方向にわたり受け入れることができるように構成されている。
【００３７】
左右の流下溝９Ｌ，９Ｒにおける揚送清浄装置２５側に配置される側板９ｃの下部には、揚送清浄装置２５の本体下部に形成されたパチンコ球の流入口３７（図４参照）に連通する連通口１０ａが形成されている。流下溝９Ｌ，９Ｒ内のパチンコ球は、連通口１０ａから流出した後、該連通口１０ａに接続される接続樋１０Ｌ，１０Ｒ（図４及び図８参照）をそれぞれ流下し、流入口３７に連通する合流通路１１にて合流され、流入口３７から揚送清浄装置２５の本体内部に流入する。そして、装置内部に設けられたコンベア等の揚送部材（図示略）等により上方に揚送されるとともに、揚送中において後述する清浄布１１６等の清浄部材（研磨部材とも言う）により清浄（研磨）されるようになっている。また、揚送・研磨された揚送球は、上部タンク３内上部に配置される排出口３８（図１参照）から上部タンク３内に排出されるようになっている。
【００３８】
これら遊技島１内に配設される供給樋４、支流樋５、オーバーフロー樋１２、回収樋１７，１７、オーバーフロー管１８、誘導樋１９、流下溝９Ｌ，９Ｒ、接続樋１０Ｌ，１０Ｒ、合流通路１１および揚送清浄装置２５により、遊技島１内におけるパチンコ球の循環経路が構成されており、これらのうち供給樋４、支流樋５、オーバーフロー樋１２、回収樋１７，１７、誘導樋１９、流下溝９Ｌ，９Ｒ、接続樋１０Ｌ，１０Ｒ、合流通路１１は、パチンコ球が移動（本実施例では自然流下）する遊技球流路を構成している。また、これらのうち回収樋１７，１７、誘導樋１９、流下溝９Ｌ，９Ｒ、接続樋１０Ｌ，１０Ｒ、合流通路１１は、パチンコ遊技機２から排出された遊技球を回収して揚送清浄装置２５に誘導する回収通路を構成している。
【００３９】
また、接続樋１０Ｌ，１０Ｒにはシャッタ装置２００Ｌ，２００Ｒが設けられており、流下溝９Ｌ，９Ｒから揚送清浄装置２５の流入口３７への遊技球の流入を可能または不可とすることができるようになっている（図８参照）。
【００４０】
尚、本実施例における遊技島１は、上部タンク３や流下溝９Ｌ，９Ｒ内部に貯留された遊技球のみを制御により循環して使用するいわゆる独立式の遊技島であるが、例えば遊技場内に並設される他の遊技島と上部タンク同士を適宜連結樋等により連結して、他の遊技島間で遊技球の貯留量の調整を行うことができるようにしてもよい。また、遊技者が獲得した遊技球を計数する計数装置が各パチンコ遊技機２に対応して設けられ、各遊技島内において遊技球を循環使用することが可能に構成されたユニット式の遊技島であってもよい。
【００４１】
次に、揚送清浄装置２５の詳細な構造について説明する。図５は、（Ａ）は揚送清浄装置を斜め前から見た斜視図、（Ｂ）は揚送清浄装置を斜め後ろから見た斜視図である。図６は、揚送清浄装置の内部構造を示す断面図である。図７は、図６のＣ−Ｃ断面図である。図８は、揚送清浄装置と流下溝との接続構造を示す概略断面図である。
【００４２】
揚送清浄装置２５は、図５及び図６に示されるように、床面上にアンカー固定されるベース板１１０上に立設される上下方向に延びる柱状の本体１００と、本体１００の上部（遊技球の移送方向の下流側）に設けられた左右方向（水平方向）を向く回転軸１０１ａ周りに回動自在に設けられる上部ローラ１０１と、本体１００の下部（遊技球の移送方向の下流側）に設けられた左右方向（水平方向）を向く回転軸１０２ａ周りに回動自在に設けられる下部ローラ１０２と、これら上部ローラ１０１と下部ローラ１０２とに掛け渡される所定幅を有する無端帯状の搬送ベルト１０３と、本体１００の後面側の一側辺を中心に回動自在に設けられ、搬送ベルト１０３の上昇路に対向して配置される上下方向に延びる直線状通路１１５（図６参照）を形成する直線状通路カバー１０４と、下部ローラ１０２の下方に配置され、該下部ローラ位置における搬送ベルト１０３に遊技球を押圧するために該下部ローラ１０２の外周面に沿って略円弧状に形成されたアール状通路部材としてのアール状通路カバー１０５と、該下部ローラ１０２の下方におけるアール状通路カバー１０５の反対側に対向して配置され、アール状通路カバー１０５に遊技球を誘導する球導入部材としての球導入通路カバー１０６と、から主に構成されている。
【００４３】
これら搬送ベルト１０３の外面に対向して配置される上部通路カバー１１８、直線状通路カバー１０４、アール状通路カバー１０５、球導入通路カバー１０６は、上部ローラ１０１及び下部ローラ１０２の回転により周回する搬送ベルト１０３に遊技球を押圧して揚送するための通路部材を構成している。
【００４４】
尚、下部ローラ１０２は、本体下部に設けられる揚送清浄モータ８０により駆動する駆動ローラとされ、上部ローラ１０１は従動ローラとされており、図６中矢印方向（時計回り）に回転するようになっている。また、図６に示されるように、下部ローラ１０２の上方には、搬送ベルト１０３の張力を調整可能なテンションローラ１０８と、その上下に配置される従動ローラ１０７，１０９とが回動可能に支持されており、これら従動ローラ１０７，１０９及びテンションローラ１０８の間を蛇行するように搬送ベルト１０３が掛け渡されている。尚、これら上部ローラ１０１、下部ローラ１０２、従動ローラ１０７，１０９及びテンションローラ１０８の詳細な構造は後述することとする。
【００４５】
直線状通路カバー１０４は、上下方向に延びる板状部材にて構成され、図５に示されるように、本体１００の後面における一側辺に、該本体１００の後面を開閉可能に枢着されており、他側辺に突設された上・中・下段の係止ピン１１２ａ〜１１２ｃに、本体１００に枢着された上・中・下段の係止部材１１１ａ〜１１１ｃが係止されることで、閉塞位置にてロックできるようになっている。
【００４６】
直線状通路カバー１０４の内面には、特に図７に示されるように、上下方向に延設される直線状通路１１５を形成するための略半球状の凹溝１１３が複数列（本実施例では７列）並設して形成された縦長の通路板１１４が、複数のコイルバネ１１７を介して搬送ベルト１０３に向けて付勢された状態で配置されており、直線状通路カバー１０４を閉塞位置に位置したときに、搬送ベルト１０３の外面に対向配置され、これら複数の凹溝１１３により、上下方向に延びる複数列の直線状通路１１５が形成される。
【００４７】
そしてこれら各凹溝１１３にガイドされる各直線状通路１１５内の遊技球Ｐは、この通路板１１４により搬送ベルト１０３に押圧されることにより、搬送ベルト１０３の移動により通路内を上方に向けて移動して揚送されるようになっている。つまり、通路板１１４における遊技球との対向面（内面）は、遊技球の移送面を構成している。
【００４８】
また、この通路板１１４の内面側には、各通路内を移送する遊技球を清浄する清浄部材としての清浄布１１６が敷設されていることで、この清浄布１１６を介して通路板１１４により遊技球Ｐが搬送ベルト１０３に向けて押圧されることで、搬送ベルト１０３の移動により、遊技球Ｐが清浄布１１６に摺接（当接）されながら移送されるため、遊技球が揚送とともに清浄（研磨）されるようになっている。つまり、本実施例における揚送清浄装置２５は、遊技球Ｐを清浄しながら揚送する。
【００４９】
この清浄布１１６は帯状をなし、直線状通路カバー１０４の通路板１１４の内面に沿って上下方向（遊技球の移送方向の上流側から下流側）に張設される。該張設された清浄布１１６の上側は、直線状通路カバー１０４の上端部（下流側折返し部）にて外側下向きに折返された後、直線状通路カバー１０４の外面上部に設けられた上部クランプ装置３００（図６参照）に挿通した状態で保持され、直線状通路カバー１０４の外面に沿って敷設される。また、清浄布１１６の下側は、直線状通路カバー１０４の下端部（上流側折返し部）にて外側上向きに折返された後、直線状通路カバー１０４の外面下部に設けられた下部クランプ装置４００（図６参照）に挿通した状態で保持され、直線状通路カバー１０４の外面に沿って敷設される。
【００５０】
このように清浄布１１６は、直線状通路カバー１０４の上下端部にてそれぞれ外向きに折返され、直線状通路カバー１０４の外面に沿って引き出された上部を上部クランプ装置３００にて、下部を下部クランプ装置４００にて保持する必要があるため、少なくとも直線状通路カバー１０４の上下幅寸法、つまり、直線状通路１１５において清浄布１１６が遊技球に当接可能に敷設される清浄部の長手幅寸法よりも長尺な帯布にて構成されており、遊技球との摺接面が汚れた場合、上部クランプ装置３００及び下部クランプ装置４００による保持状態を解除し、直線状通路１１５の清浄部に配置されている清浄布１１６の使用済み部を上部または下部から引き出して、未使用部を直線状通路１１５の清浄部に配置することで交換できるようになっている。
【００５１】
このように直線状通路カバー１０４により形成される直線状通路１１５は、図６に示されるように、回転軸１０１ａから回転軸１０２ａにかけて本体１００の前面側、つまり搬送ベルト１０３の上昇側に形成されている。そして直線状通路１１５を上方に移送された遊技球Ｐは、本体１００の上部に設けられた上部通路カバー１１８により形成される円弧状の上部通路１１９により前面側（図５中右側）に折り返された後、該上部通路カバー１１８に連設された排出カバー１２０内を流下して、該排出カバー１２０に形成された排出口３８から排出され、上部タンク３内に貯留されるようになっている。
【００５２】
直線状通路１１５の下方、つまり上流側には、前述したアール状通路カバー１０５により形成されるアール状通路１２１が形成されており、本体１００の前面側下部に設けられた流入口３７から流入される遊技球を、上方の直線状通路１１５に向けて誘導するようになっている。
【００５３】
アール状通路１２１には、このアール状通路カバー１０５の上流側にある流入口３７に設けられる球導入通路カバー１０６により形成される球導入通路１２３を流下する遊技球Ｐが流入されるようになっている。また、流入口３７は、本体１００の下部背面側に設けられ、複数のパチンコ遊技機２から排出される遊技球を回収する回収通路の一部を構成する合流通路１１が接続されている。
【００５４】
図８に示すように、接続樋１０Ｌ，１０Ｒに設けられたシャッタ装置２００Ｌ，２００Ｒは、接続樋１０Ｌ，１０Ｒに対し出退可能に設けられた可動板２０１Ｌ，２０１Ｒと、該可動板２０１Ｌ，２０１Ｒを接続樋１０Ｌ，１０Ｒから上方に退避する開放位置と接続樋１０Ｌ，１０Ｒに向けて突出する閉鎖位置との間で移動させるシャッタモータ２０２Ｌ，２０２Ｒと、から構成される。つまり、シャッタ装置２００Ｌ，２００Ｒは、可動板２０１Ｌ，２０１Ｒを開放位置に移動させて遊技球の流入口３７への流下を許容する許容状態と、可動板２０１Ｌ，２０１Ｒを閉鎖位置に移動させて遊技球の流入口３７への流下を許容しない非許容状態（流下を規制する規制状態）と、に変化可能とされている。また、シャッタ装置２００Ｌ，２００Ｒは、左右の可動板２０１Ｌ，２０１Ｒが揚送清浄装置２５の流入口３７の左右方向の略中心位置からそれぞれ同じ所定距離Ｌ１離れた箇所に配設されている。
【００５５】
また、流下溝９Ｌ，９Ｒ内には、該流下溝９Ｌ，９Ｒ内を流下し連通口１０ａを介して流入口３７へ供給される遊技球を検出する近接センサ２１０Ｌ，２１０Ｒが設けられている。近接センサ２１０Ｌ，２１０Ｒは、可動板２０１Ｌ，２０１Ｒからそれぞれ同じ所定距離Ｌ２離れた箇所に配設されている。本実施例では、距離Ｌ２は距離Ｌ１よりも長寸とされているが、距離Ｌ２は距離Ｌ１と同じまたは短寸とされていてもよい。
【００５６】
本実施例では、シャッタ装置２００Ｌ，２００Ｒが非許容状態となることにより、接続樋１０Ｌ，１０Ｒにて可動板２０１Ｌ，２０１Ｒにより遊技球の流下が規制されて、接続樋１０Ｌ，１０Ｒから上流側の流下溝９Ｌ，９Ｒに向けて揚送清浄装置２５にて揚送清浄される遊技球が滞留（待機）されるようになっている。また、近接センサ２１０Ｌ，２１０Ｒにより遊技球が所定時間（例えば、１０秒）連続して検出されたときには、揚送清浄装置２５にて揚送清浄される遊技球が接続樋１０Ｌ，１０Ｒから流下溝９Ｌ，９Ｒにかけて所定量（例えば、可動板２０１Ｌ，２０１Ｒから近接センサ２１０Ｌ，２１０Ｒがある位置までに滞留される遊技球数）以上滞留しているとして、後述する揚送清浄動作の開始条件が成立する。
【００５７】
一方、シャッタ装置２００Ｌ，２００Ｒが許容状態となることにより、接続樋１０Ｌ，１０Ｒにて可動板２０１Ｌ，２０１Ｒによる遊技球の流下規制が解除され流下可能な状態において、近接センサ２１０Ｌ，２１０Ｒにより遊技球が所定時間（例えば、１０秒）検出されなかったときには、揚送清浄装置２５にて揚送清浄される遊技球が接続樋１０Ｌ，１０Ｒから流下溝９Ｌ，９Ｒにかけて所定量（例えば、可動板２０１Ｌ，２０１Ｒから近接センサ２１０Ｌ，２１０Ｒがある位置までに滞留される遊技球数）以上滞留していないとして、後述する揚送清浄動作の停止条件が成立する。
【００５８】
尚、以下においては、近接センサ２１０Ｌ，２１０Ｒにより遊技球が所定時間（例えば、１０秒）連続して検出されたときに近接センサ２１０Ｌ，２１０Ｒ；ｏｎと判定され、近接センサ２１０Ｌ，２１０Ｒにより遊技球が所定時間（例えば、１０秒）以上検出されなかったときに近接センサ２１０Ｌ，２１０Ｒ；ｏｆｆと判定されるものとする。また、近接センサ２１０Ｌ，２１０Ｒ；ｏｎと判定された場合、近接センサ２１０Ｌ，２１０Ｒ；ｏｆｆと判定されるまで近接センサ２１０Ｌ，２１０Ｒ；ｏｎと判定されたままとされるとともに、近接センサ２１０Ｌ，２１０Ｒ；ｏｆｆと判定された場合、近接センサ２１０Ｌ，２１０Ｒ；ｏｎと判定されるまで近接センサ２１０Ｌ，２１０Ｒ；ｏｆｆと判定されたままとされるようになっている。
【００５９】
尚、本実施例では、揚送清浄装置２５にて揚送清浄される遊技球が接続樋１０Ｌ，１０Ｒから流下溝９Ｌ，９Ｒにかけて所定量以上滞留しているか否かを判定するための検出手段として、近接センサ２００Ｌ，２００Ｒが適用されているが、近接センサ以外の検出スイッチ等を適用してもよい。また、本実施例では、可動板２０１Ｌ，２０１Ｒから近接センサ２００Ｌ，２００Ｒの位置まで滞留可能な遊技球数を予め設定し、流下溝９Ｌ，９Ｒの所定箇所に配設した近接センサ２００Ｌ，２００Ｒが遊技球を検出することで、揚送清浄装置２５にて揚送清浄される遊技球が接続樋１０Ｌ，１０Ｒから流下溝９Ｌ，９Ｒにかけて所定量以上滞留しているか否かを判定するようにしているが、本発明はこれに限定されるものではなく、例えば、各パチンコ遊技機２やアウト球タンクから排出される遊技球を計数し、該計数された遊技球数に基づいて、揚送清浄装置２５にて揚送清浄される遊技球が接続樋１０Ｌ，１０Ｒから流下溝９Ｌ，９Ｒにかけて所定量以上滞留しているか否かを判定するようにしてもよいし、回収通路にかかる遊技球の重量に基づいて判定するようにしてもよい。
【００６０】
図９（Ａ）には、揚送清浄装置２５の回路構成の一例が示されている。揚送清浄装置２５は、揚送清浄装置２５の駆動を制御するための各種回路が搭載されている。揚送清浄基板２２１には、例えば揚送清浄装置２５の駆動を制御するための揚送清浄制御用コントローラ２２０や、遊技球検出用の近接センサ２１０Ｌ，２１０Ｒからの検出信号を取り込んで揚送清浄制御用コントローラ２２０に伝送するスイッチ回路２２３、揚送清浄制御用コントローラ２２０からのモータ駆動信号をシャッタモータ２０２Ｌ，２０２Ｒ、揚送清浄モータ８０に伝送する出力回路２２４などが搭載されている。
【００６１】
揚送清浄制御用コントローラ２２０は、揚送清浄制御用のプログラム等を記憶するＲＯＭ（ReadOnlyMemory）２３０と、揚送清浄制御用のワークエリアを提供するＲＡＭ（RandomAccessMemory）２３１と、揚送清浄制御用のプログラムを実行して制御動作を行うＣＰＵ（CentralProcessingUnit）２３２と、Ｉ／Ｏ（Input/Outputport）２３３とを備えて構成される。
【００６２】
揚送清浄制御用コントローラ２２０には、揚送清浄装置２５に供給するための電力を直流電力から交流電力に変換するためのインバータ２４０を介して電力が供給されている。また、インバータ２４０は、図８に示すように、金属ボックス２４１に覆われた状態で収納されており、インバータ２４０から発生するノイズにより周辺機器に影響を与えることを回避できるようになっている。また、揚送清浄制御用コントローラ２２０は、遊技島１に設置され該遊技島１内における各種機器（例えば、計数装置１５など）に接続される島コントローラ２５０に接続されている。
【００６３】
図９（Ｂ）の説明図に示すように、揚送清浄制御用コントローラ２２０は、近接センサ２１０Ｌ，２１０Ｒによる遊技球の検出結果に基づいて、揚送清浄装置２５の揚送清浄モータ８０及びシャッタモータ２０２Ｌ，２０２Ｒの駆動制御を行う。具体的には、揚送清浄制御用コントローラ２２０は、揚送清浄装置２５の駆動初期状態においては、シャッタ装置２００Ｌ，２００Ｒを非許容状態とする。そして、接続樋１０Ｌ，１０Ｒから流下溝９Ｌ，９Ｒに向けて揚送清浄装置２５にて揚送清浄される遊技球が滞留し、いずれかの近接センサ２１０Ｌ，２１０Ｒ；ｏｎであると判定したとき（近接センサ２１０Ｌ，２１０Ｒ；ｏｎ）、揚送清浄装置２５にて揚送清浄される遊技球が接続樋１０Ｌ，１０Ｒから流下溝９Ｌ，９Ｒにかけて所定量以上滞留している、つまり、揚送清浄動作の開始条件が成立したとして、設定された清浄開始待ち時間（ｔａ）が経過したときに、ｏｎ判定された近接センサに対応する側のシャッタモータ２０２Ｌ，２０２Ｒにより可動板２０１Ｌ，２０１Ｒを閉鎖位置から開放位置に移動させ、シャッタ装置２００Ｌ，２００Ｒを許容状態とするとともに、揚送清浄モータ８０を駆動して、揚送清浄動作を開始する。
【００６４】
また、揚送清浄動作を開始した後、いずれかの近接センサ２１０Ｌ，２１０Ｒ；ｏｆｆであると判定したとき（近接センサ２１０Ｌ，２１０Ｒ；ｏｆｆ）、揚送清浄装置２５にて揚送清浄される遊技球が接続樋１０Ｌ，１０Ｒから流下溝９Ｌ，９Ｒにかけて所定量以上滞留していない、つまり、揚送清浄動作の停止条件が成立したとして、ｏｆｆ判定された近接センサに対応する側のシャッタモータ２０２Ｌ，２０２Ｒにより可動板２０１Ｌ，２０１Ｒを開放位置から閉鎖位置に移動させ、シャッタ装置２００Ｌ，２００Ｒを非許容状態とした後、予め定められた清浄停止待ち時間（ｔｂ）が経過したとき、揚送清浄モータ８０の駆動を停止して、揚送清浄動作を停止する。
【００６５】
この清浄停止待ち時間（ｔｂ）は、揚送清浄装置２５への遊技球の流入を規制したときに既に可動板２０１Ｌ，２０１Ｒを通過した全ての遊技球が揚送されるまでに要する時間を設定することが好ましい。具体的には、可動板２０１Ｌ，２０１Ｒが閉鎖位置に移動したときに揚送清浄装置２５内に残存している遊技球に加え、可動板２０１Ｌ，２０１Ｒの下流側にある遊技球、つまり、図８に示すように、可動板２０１Ｌ，２０１Ｒから流入口３７までの距離Ｌ１間に滞留している遊技球全てが揚送清浄装置２５内に供給され排出口３８から排出されるまでに要する時間とされる。よって、近接センサ２１０Ｌ，２１０Ｒ；ｏｆｆであると判定したとき（近接センサ２１０Ｌ，２１０Ｒ；ｏｆｆ）から清浄停止待ち時間（ｔｂ）が経過した時点で揚送清浄装置２５の揚送清浄駆動を停止することで、揚送清浄装置２５に残存する遊技球、合流通路１１、接続樋１０Ｌ，１０Ｒにある遊技球を全て揚送して、少なくとも揚送清浄装置２５内部に遊技球が残存しない状態としてから揚送清浄駆動を停止させることができる。
【００６６】
このように揚送清浄駆動を間欠的に行う場合において、揚送駆動を停止させたときに揚送経路内に遊技球が残存しないことで、揚送清浄駆動を再開させる際に遊技球による負荷がかからない状態で揚送清浄モータ８０の駆動を開始させることができる（駆動初期時にかかる負荷を軽減できる）。また、後述する搬送ベルト１０３にも駆動開始時に大きな負荷がかからないので、搬送ベルト１０３が破損すること等を防止できる。
【００６７】
尚、このように揚送清浄動作の停止条件が成立したときから予め定められた清浄停止待ち時間（ｔｂ）が経過したときに揚送清浄駆動を停止するのではなく、例えば揚送清浄装置２５の排出口３８に遊技球の検出センサ等を設け、揚送清浄装置２５への遊技球の流入を規制した後、前記検出センサが遊技球を検出してから所定時間内に新たな遊技球が検出されなくなったことを条件に、揚送清浄駆動を停止させるようにしてもよい。
【００６８】
また、揚送清浄装置２５のメンテナンス作業等を実施する場合等には、特定の停止操作を行うことにより、揚送清浄装置２５の揚送駆動を手動で停止させることができるようになっているが、この場合においても、シャッタ装置２００Ｌ，２００Ｒにより揚送清浄装置２５への遊技球の流入を規制した後、所定期間が経過した時点で揚送清浄装置２５の揚送清浄駆動を停止する。
【００６９】
また、揚送清浄制御用コントローラ２２０は、近接センサ２１０Ｌ，２１０Ｒにより遊技球が所定時間（例えば、１０秒）検出されず近接センサ２１０Ｌ，２１０Ｒ；ｏｆｆと判定したときから停止期間タイマにより計時を開始し、次回、近接センサ２１０Ｌ，２１０Ｒにより遊技球が所定時間（例えば、１０秒）連続して検出され近接センサ２１０Ｌ，２１０Ｒ；ｏｎと判定するまでの時間、つまり、揚送清浄動作が停止されている停止期間（ｔｃ）を計時する。
【００７０】
そして、図９（Ｃ）に示すように、揚送清浄制御用コントローラ２２０は、近接センサ２１０Ｌ，２１０Ｒ；ｏｎと判定したときに、停止期間タイマにより計時された時間（停止期間：ｔｃ）が、０〜３０秒の範囲内である場合は、後述する清浄停止待ち時間であり、可動板２０１Ｌ，２０１Ｒが閉鎖位置であるが、揚送清浄モータ８０は駆動している状態、つまり、揚送清浄動作の実行中であるため、清浄開始待ち時間（ｔａ）を設定せず（ｔａ＝０秒）、即座に遊技球を検出した近接センサに対応する側のシャッタモータ２０２Ｌ，２０２Ｒを介して可動板２０１Ｌ，２０１Ｒを閉鎖位置から開放位置に移動させてシャッタ装置２００Ｌ，２００Ｒを許容状態とし、揚送清浄動作を継続する。
【００７１】
尚、本実施例では、特に詳細な図示はしないが、揚送清浄制御用コントローラ２２０は、揚送清浄装置２５の起動処理において、清浄開始待ち時間（ｔａ）として所定時間（例えば、３０秒）を設定するようにしているため、起動後、最初に近接センサ２１０Ｌ，２１０Ｒ；ｏｎと判定したときは、清浄開始待ち時間（ｔａ）３０秒が経過したときに、近接センサに対応する側のシャッタモータ２０２Ｌ，２０２Ｒを介して可動板２０１Ｌ，２０１Ｒを閉鎖位置から開放位置に移動させてシャッタ装置２００Ｌ，２００Ｒを許容状態とし、揚送清浄動作を開始する。
【００７２】
また、停止期間（ｔｃ）が３１〜１２０秒の範囲内である場合は、清浄開始待ち時間（ｔａ）として１２０秒を設定し、近接センサ２１０Ｌ，２１０Ｒ；ｏｎと判定したときから１２０秒が経過したときに、遊技球を検出した近接センサに対応する側のシャッタモータ２０２Ｌ，２０２Ｒを介して可動板２０１Ｌ，２０１Ｒを閉鎖位置から開放位置に移動させてシャッタ装置２００Ｌ，２００Ｒを許容状態とする。また、停止期間（ｔｃ）が１２１秒以上である場合は、清浄開始待ち時間（ｔａ）として１８０秒を設定し、近接センサ２１０Ｌ，２１０Ｒ；ｏｎと判定したときから１８０秒が経過したときに、遊技球を検出した近接センサに対応する側のシャッタモータ２０２Ｌ，２０２Ｒを介して可動板２０１Ｌ，２０１Ｒを閉鎖位置から開放位置に移動させ、シャッタ装置２００Ｌ，２００Ｒを許容状態とする。
【００７３】
すなわち、本実施例では、揚送清浄動作の開始条件が成立したとき、所定の清浄開始待ち時間（ｔａ）が経過したことに基づいて揚送清浄動作を開始するが、この清浄開始待ち時間（ｔａ）が、前回の揚送清浄動作が停止してから新たな揚送清浄開始条件が成立するまでの時間に応じて変更される、つまり、停止期間に応じて異なる清浄開始待ち時間が設定される。
【００７４】
例えば、揚送清浄動作を停止したときから回収通路に所定量以上の遊技球が滞留するまでの時間が短い場合、つまり、稼働しているパチンコ遊技機２が多い場合は、上部タンク３の貯留量が減少してパチンコ遊技機２への遊技球の供給が途絶えることがないように、清浄開始待ち時間として短い時間が設定されるので清浄動作が早く開始される。一方、揚送清浄動作を停止したときから回収通路に所定量以上の遊技球が滞留するまでの時間が長い場合、つまり、稼働しているパチンコ遊技機２が少ない場合は、上部タンク３の貯留量が減少してパチンコ遊技機２への遊技球の供給が直ちに途絶えることがなく、清浄開始待ち時間として長い時間が設定されるので、清浄動作が余裕をもって開始されるなど、パチンコ遊技機２の稼働状況に応じて効率よく清浄動作を行うことが可能となる。
【００７５】
尚、本実施例では、停止期間（ｔｃ）が３１〜１２０秒の範囲内である場合は、清浄開始待ち時間（ｔａ）が１２０秒に変更（設定）され、停止期間（ｔｃ）が１２１秒以上である場合は、清浄開始待ち時間（ｔａ）が１８０秒に変更（設定）されるようになっているが、本発明はこれに限定されるものではなく、停止期間（ｔｃ）や該停止期間（ｔｃ）に応じて設定される清浄開始待ち時間（ｔａ）は上記以外の時間を設定するようにしてもよい。
【００７６】
また、本実施例では、停止期間（ｔｃ）に応じて清浄開始待ち時間（ｔａ）が１２０秒または１８０秒に変更（設定）されるようになっていたが、３以上の清浄開始待ち時間（ｔａ）に変更（設定）可能としてもよい。
【００７７】
また、本実施例では、近接センサ２１０Ｌ，２１０Ｒ；ｏｆｆと判定したことに基づいて対応するシャッタ装置２００Ｌ，２００Ｒを非許容状態に変化させるタイミングは、流入口３７からシャッタ装置２００Ｌ，２００Ｒの上流側まで遊技球が滞留している状態とされている。具体的には、近接センサ２１０Ｌ，２１０Ｒ；ｏｆｆと判定されたときに、流入口３７からシャッタ装置２００Ｌ，２００Ｒの上流側まで遊技球が滞留されているように、近接センサ２１０Ｌ，２１０Ｒは、可動板２０１Ｌ，２０１Ｒからそれぞれ同じ距離Ｌ２だけ上流側に離れた箇所に配設されている。
【００７８】
つまり、揚送清浄装置２５の駆動が開始された後、回収された遊技球が新たに加わることなく、流入口３７から近接センサ２１０Ｌ，２１０Ｒにかけて滞留している遊技球がシャッタ装置２００Ｌ，２００Ｒの上流側付近まで減少するのに要する時間が約１０秒以上、すなわち、近接センサ２１０Ｌ，２１０Ｒにより遊技球が検出されなくなってから近接センサ２１０Ｌ，２１０Ｒ；ｏｆｆと判定されるまでに要する時間である１０秒よりも長い時間となる距離Ｌ２とされていればよい。このようにすることで、可動板２０１Ｌ，２０１Ｒが開放位置から閉鎖位置に移動したときに、その上流側にも遊技球が存在することになるので、回収された遊技球が直接可動板２０１Ｌ，２０１Ｒに衝突して損傷することを防止できる。
【００７９】
次に、揚送清浄制御用コントローラ２２０が実行する揚送清浄処理について、図１０のフローチャートに基づいて説明する。図１０は、揚送清浄制御用コントローラが実行する揚送清浄処理の制御内容を示すフローチャートである。尚、揚送清浄処理は、揚送清浄装置の起動処理を行った後のタイマ割込み処理にて実行される処理である。
【００８０】
揚送清浄制御用コントローラ２２０は、まず、揚送清浄装置２５の揚送清浄モータ８０が駆動して揚送清浄動作が実行されていることを示す清浄中フラグがＲＡＭ２３１にセットされているか否かを判定する（ステップＳ１０１）。清浄中フラグがセットされていない場合（ステップＳ１０１；Ｎｏ）、揚送清浄動作の開始条件が成立したと判定されてから揚送清浄動作を行うまでの清浄開始待ち時間（ｔａ）であることを示す清浄開始待ちフラグがセットされているか否かを判定する（ステップＳ１０２）。
【００８１】
清浄開始待ちフラグがセットされていない場合（ステップＳ１０２；Ｎｏ）、近接センサ２１０Ｌ，２１０Ｒ；ｏｎであるか否か、つまり、近接センサ２１０Ｌ，２１０Ｒにより遊技球が所定時間である１０秒連続して検出されたか否かを判定する（ステップＳ１０３）。近接センサ２１０Ｌ，２１０Ｒ；ｏｎでない場合は、揚送清浄装置２５にて揚送清浄される遊技球が接続樋１０Ｌ，１０Ｒから流下溝９Ｌ，９Ｒにかけて所定量以上滞留していないとして、そのまま処理を終了する。また、近接センサ２１０Ｌ，２１０Ｒ；ｏｎである場合、つまり、揚送清浄装置２５にて揚送清浄される遊技球が接続樋１０Ｌ，１０Ｒから流下溝９Ｌ，９Ｒにかけて所定量以上滞留している場合は（ステップＳ１０３；Ｙｅｓ）、停止期間タイマのカウント値を確認し、該停止期間タイマの値が３１〜１２０秒の範囲の値であるか否かを判定する（ステップＳ１０４）。停止期間タイマの値が３１〜１２０秒の範囲の値である場合（ステップＳ１０４；Ｙｅｓ）、清浄開始待ちタイマに１２０秒に相当する値をセットする（ステップＳ１０５）。また、停止期間タイマの値が３１〜１２０秒の範囲の値でない場合（ステップＳ１０４；Ｎｏ）、清浄開始待ちタイマに１８０秒に相当する値をセットする（ステップＳ１０７）。そして、ステップＳ１０５またはステップＳ１０７の後、清浄開始待ちフラグをセットし（ステップＳ１０６）、終了する。尚、停止期間タイマの値が３０秒以内の場合は、後述する清浄停止待ち時間であって清浄中フラグがセットされているので、後述するステップＳ１２８〜１３０の処理が行われる。
【００８２】
清浄開始待ちフラグがセットされている場合（ステップＳ１０２；Ｙｅｓ）、清浄開始タイマのタイマ値を１減算し（ステップＳ１０８）、清浄開始待ちタイマのタイマ値が０になったか否か、つまり、近接センサ２１０Ｌ，２１０Ｒ；ｏｆｆと判定されてから、ステップＳ１０５またはステップＳ１０７にて設定された時間が経過したか否かを判定する（ステップＳ１０９）。清浄開始待ちタイマのタイマ値が０になっていないときは（ステップＳ１０９；Ｎｏ）、清浄開始待ち時間であるとして、そのまま処理を終了する。また、清浄開始待ちタイマのタイマ値が０になっているときは（ステップＳ１０９；Ｙｅｓ）、可動板２０１Ｌ，２０１Ｒを閉鎖位置から開放位置へ移動させるとともに（ステップＳ１１０）、揚送清浄モータ８０を駆動させて揚送清浄動作を開始させる（ステップＳ１１１）。そして、清浄開始待ちフラグをクリアし（ステップＳ１１２）、清浄中フラグをセットした後（ステップＳ１１３）、処理を終了する。
【００８３】
また、ステップＳ１０１にて清浄中フラグがセットされている場合（ステップＳ１０１；Ｙｅｓ）、揚送清浄動作の停止条件が成立したと判定されてから揚送清浄動作を停止するまでの清浄停止待ち時間（ｔｂ）であることを示す清浄停止待ちフラグがセットされているか否かを判定する（ステップＳ１２０）。清浄停止待ちフラグがセットされていない場合（ステップＳ１２０；Ｎｏ）、近接センサ２１０Ｌ，２１０Ｒ；ｏｆｆであるか否か、つまり、近接センサ２１０Ｌ，２１０Ｒにより遊技球が所定時間である１０秒検出されなかったか否かを判定し（ステップＳ１２１）、近接センサ２１０Ｌ，２１０Ｒ；ｏｆｆでない場合（ステップＳ１２１；Ｎｏ）は、そのまま処理を終了する。また、近接センサ２１０Ｌ，２１０Ｒ；ｏｆｆである場合（ステップＳ１２１；Ｙｅｓ）は、揚送清浄装置２５にて揚送清浄される遊技球が接続樋１０Ｌ，１０Ｒから流下溝９Ｌ，９Ｒにかけて所定量以上滞留していないとして、可動板２０１Ｌ，２０１Ｒを開放位置から閉鎖位置へ移動させるとともに（ステップＳ１２２）、清浄停止待ちタイマ値に清浄停止待ち時間である３０秒に相当する値をセットし（ステップＳ１２３）、清浄停止待ちフラグをセットした後（ステップＳ１２４）、停止期間タイマのタイマをスタートさせ（ステップＳ１２５）、処理を終了する。
【００８４】
清浄停止待ちフラグがセットされている場合（ステップＳ１２０；Ｙｅｓ）、清浄停止待ちタイマのタイマ値を１減算し（ステップＳ１２６）、清浄停止待ちタイマのタイマ値が０になったか否かを判定する（ステップＳ１２７）。清浄停止待ちタイマのタイマ値が０になっていない場合（ステップＳ１２７；Ｎｏ）、近接センサ２１０Ｌ，２１０Ｒ；ｏｎであるか否か、つまり、近接センサ２１０Ｌ，２１０Ｒにより遊技球が所定時間である１０秒連続して検出されたか否かを判定し（ステップＳ１２８）、近接センサ２１０Ｌ，２１０Ｒ；ｏｎでない場合（ステップＳ１２８；Ｎｏ）は、揚送清浄装置２５にて揚送清浄される遊技球が接続樋１０Ｌ，１０Ｒから流下溝９Ｌ，９Ｒにかけて所定量以上滞留していないとして、そのまま処理を終了する。また、近接センサ２１０Ｌ，２１０Ｒ；ｏｎである場合、つまり、揚送清浄装置２５にて揚送清浄される遊技球が接続樋１０Ｌ，１０Ｒから流下溝９Ｌ，９Ｒにかけて所定量以上滞留している場合は（ステップＳ１２８；Ｙｅｓ）、清浄停止待ち時間中であることから、停止期間タイマの値は０〜３０秒の範囲内であるため、清浄開始待ちタイマに所定時間を設定することなく、可動板２０１Ｌ，２０１Ｒを閉鎖位置から開放位置へ移動させるとともに（ステップＳ１２９）、清浄停止待ちフラグをクリアして（ステップＳ１３０）、処理を終了する。つまりこの場合、揚送清浄動作は継続して実行される。
【００８５】
また、清浄停止待ちタイマのタイマ値が０になった場合（ステップＳ１２７；Ｙｅｓ）、揚送清浄モータ８０の駆動を停止して（ステップＳ１３１）、揚送停止待ちフラグ及び清浄中フラグをクリアし（ステップＳ１３２）、処理を終了する。
【００８６】
次に、図１１及び図１２に基づいて、揚送清浄動作に伴う遊技球の回収状況の一例を説明する。尚、ここでは揚送清浄装置２５、右側のシャッタ装置２００Ｒ、近接センサ２１０Ｒの動作状況について説明し、左側のシャッタ装置２００Ｌ、近接センサ２１０Ｌの動作状況は同一であるため説明は省略する。
【００８７】
図１１（Ａ）に示すように、シャッタ装置２００Ｒを非許容状態とされている場合において、各パチンコ遊技機２から排出された遊技球は、流下溝９Ｒ内に落下し、該流下溝９Ｒから接続樋１０Ｒに向けて流下して回収されていく。そして、接続樋１０Ｒにおいて、閉鎖位置にある可動板２０１Ｒにより流下が規制されることで、揚送清浄装置２５により揚送清浄される遊技球が、接続樋１０Ｒの可動板２０１Ｒから流下溝９Ｒに向けて滞留（待機）されていく。
【００８８】
そして図１１（Ｂ）に示すように、パチンコ遊技機２から新たに排出された遊技球が滞留している遊技球群の最後尾に次々と滞留していく。そして、滞留している遊技球群の最後尾が近接センサ２１０Ｒ付近に到達し、近接センサ２１０Ｒにより遊技球が所定時間である１０秒連続して検出されたと判定されると（近接センサ２１０Ｒ；ｏｎ）、揚送清浄装置２５にて揚送清浄される遊技球が接続樋１０Ｒから流下溝９Ｒにかけて所定量以上滞留しているとして、近接センサ２１０Ｒ；ｏｎと判定された時点から所定の清浄開始待ち時間（ｔａ）が経過したときに、可動板２０１Ｒが閉鎖位置から開放位置に移動されるとともに、揚送清浄モータ８０が駆動されて揚送清浄動作が開始される。これにより、該可動板２０１Ｒにて規制され滞留していた遊技球が流入口３７に誘導され、揚送清浄装置２５の内部に流入されていく（図１１（Ｃ）参照）。
【００８９】
また、揚送清浄動作が行われることで、図１２（Ｄ）に示すように、流入口３７から合流通路１１、接続樋１０Ｒを介して流下溝９Ｒに向けて滞留している遊技球が揚送清浄装置２５に取り込まれて減少していく一方で、各パチンコ遊技機２から排出され回収される遊技球があれば、流入口３７から合流通路１１、接続樋１０Ｒを介して流下溝９Ｒに向けて遊技球が滞留している状況が継続する。そして、各パチンコ遊技機２から排出され回収される遊技球数より揚送清浄装置２５に取り込まれる遊技球数が上回ると、滞留している遊技球は減少していく。尚、揚送清浄装置２５に取り込まれる遊技球数が各パチンコ遊技機２から排出され回収される遊技球数より上回ると、滞留している遊技球は維持または増加する。
【００９０】
そして、滞留している遊技球が減少し、滞留している遊技球群の最後尾が近接センサ２１０Ｒから離れていくと、近接センサ２１０Ｌ，２１０Ｒにより遊技球が所定時間である１０秒検出されなくなると、揚送清浄装置２５にて揚送清浄される遊技球が接続樋１０Ｌ，１０Ｒから流下溝９Ｌ，９Ｒにかけて所定量以上滞留していないとして、図１２（Ｅ）に示すように、可動板２０１Ｒが開放位置から閉鎖位置に移動される。
【００９１】
尚、前述したように、シャッタ装置２００Ｒの上流側に遊技球がある状態で可動板２０１Ｒが開放位置から閉鎖位置に移動されるように距離Ｌ２が設定されていることで、可動板２０１Ｒが開放位置から閉鎖位置に移動したときに上流側に遊技球がいない状況となることがないので、接続樋１０Ｒを流下する遊技球が可動板２０１Ｒに直接衝突することが防止されている。
【００９２】
そして、近接センサ２１０Ｒ；ｏｆｆと判定され可動板２０１Ｒが開放位置から閉鎖位置に移動されてから、清浄停止待ち時間である３０秒が経過するまでに近接センサ２１０Ｒが新たにｏｎとならなければ、揚送清浄モータ８０の駆動が停止される。この後、図１１（Ａ）の状態に戻ることになる。
【００９３】
次に、図１３及び図１４に基づいて、揚送清浄動作の開始、停止状況の一例を説明する。図１３は、（Ａ）は停止期間が１２１秒以上の場合、（Ｂ）は停止期間が３０秒〜１２０秒の場合の揚送清浄動作の開始タイミングを示すタイミングチャートである。図１４は、停止期間が０〜３０秒の場合の揚送清浄動作の開始タイミングを示すタイミングチャートである。
【００９４】
図１３（Ａ）に示すように、例えば、近接センサ２１０Ｒ；ｏｎと判定された場合、その時点から清浄開始待ちタイマによるカウントが開始され、清浄開始待ち時間（ｔａ１）として３０秒が設定されている場合、該３０秒が経過した時点で、可動板２０１Ｒが閉鎖位置から開放位置へ移動するとともに、揚送清浄モータ８０が駆動されて揚送清浄動作が開始される。
【００９５】
そして、揚送清浄動作中において近接センサ２１０Ｒ；ｏｆｆと判定された場合、清浄停止待ちタイマによるカウントが開始されるとともに、停止期間タイマによるカウント（計時）が開始される。そして、清浄停止待ち時間（ｔｂ）である３０秒が経過した時点で、揚送清浄モータ８０の駆動が停止され、揚送清浄動作が終了する。
【００９６】
次いで、近接センサ２１０Ｒ；ｏｆｆと判定された後、近接センサ２１０Ｒ；ｏｎと判定されたとき、その時点での停止期間タイマの値が１２１秒以上である場合、つまり、前回の近接センサ２１０Ｒ；ｏｆｆと判定されたときから１２１秒以上の時間が経過している場合、清浄開始待ち時間（ｔａ２）として１８０秒が設定される。よって、近接センサ２１０Ｒ；ｏｎと判定されたときから１８０秒が経過した時点で、可動板２０１Ｒが閉鎖位置から開放位置へ移動するとともに、揚送清浄モータ８０が駆動されて揚送清浄動作が開始される。
【００９７】
また、図１３（Ｂ）に示すように、揚送清浄動作中において近接センサ２１０Ｒ；ｏｆｆと判定された後、再度近接センサ２１０Ｒ；ｏｎと判定されたとき、その時点での停止期間タイマの値が３１秒〜１２０秒の間である場合、つまり、前回の近接センサ２１０Ｒ；ｏｆｆと判定されたときから３１秒〜１２０秒以内の時間が経過していた場合、清浄開始待ち時間（ｔａ３）として１２０秒が設定される。よって、近接センサ２１０Ｒ；ｏｎと判定されたときから１２０秒が経過した時点で、可動板２０１Ｒが閉鎖位置から開放位置へ移動するとともに、揚送清浄モータ８０が駆動されて揚送清浄動作が開始される。
【００９８】
また、図１４（Ａ）に示すように、右側の近接センサ２１０Ｒ；ｏｎと判定されたことに基づいて揚送清浄動作が実行されている場合において、例えば遊技島１の左側のパチンコ遊技機２から回収される遊技球が増加して、左側の近接センサ２１０Ｌ；ｏｎと判定されたとき、その時点での停止期間タイマの値が３０秒以内である場合、つまり、前回の近接センサ２１０Ｒ；ｏｆｆと判定されたときから３０秒以内の時間が経過していた場合は、右側の近接センサ２１０Ｒ；ｏｆｆと判定されたことに基づく清浄停止待ち時間内であって、右側の可動板２０１Ｒは閉鎖位置にあるが揚送清浄モータ８０による揚送清浄動作が実行中であるため、清浄開始待ち時間（ｔａ４）は設定されず、左側の可動板２０１Ｌが閉鎖位置から開放位置へ移動するとともに、揚送清浄モータ８０による揚送清浄動作は継続される。
【００９９】
このように、清浄停止待ち時間内において近接センサ２１０Ｌ，２１０Ｒ；ｏｎと判定された場合、つまり、停止期間タイマの値が３０秒以内の時間である場合、閉鎖位置にある可動板２０１Ｌ，２０１Ｒを直ちに開放位置に移動して揚送清浄動作を継続するようになっていることで、揚送清浄動作を停止した後に直ちに開始するといった無駄な制御を行わずに済むとともに、遊技球を速やかに上部タンク３に揚送することができるので、パチンコ遊技機２への遊技球の供給が途絶えることを回避できる。
【０１００】
尚、本実施例では、上記のように、清浄停止待ち時間内において近接センサ２１０Ｌ，２１０Ｒ；ｏｎと判定された場合、つまり、停止期間タイマの値が３０秒以内の時間である場合、閉鎖位置にある可動板２０１Ｌ，２０１Ｒを直ちに開放位置に移動して揚送清浄動作を継続するようになっているが、清浄開始待ち時間として所定時間（例えば、６０秒など）を設定し、一旦、揚送清浄動作を停止した後、清浄開始待ち時間が経過してから揚送清浄動作を新たに開始するようにしてもよい。
【０１０１】
以上説明したように、本発明の実施例としての遊技島１にあっては、複数設置されたパチンコ遊技機２から排出される遊技球を回収する回収通路としての回収樋１７，１７、誘導樋１９、流下溝９Ｌ，９Ｒ、接続樋１０Ｌ，１０Ｒ、合流通路１１と、これら回収通路にて回収された遊技球を清浄する揚送清浄装置２５と、を備え、揚送清浄制御用コントローラ２２０は、図１０に示す揚送清浄処理におけるステップＳ１０３において近接センサ２１０Ｌ，２１０Ｒ；ｏｎになったか否か、つまり、揚送清浄装置２５にて揚送清浄される遊技球が接続樋１０Ｌ，１０Ｒから流下溝９Ｌ，９Ｒにかけて所定量以上滞留しているか否かを判定し、図１０に示す揚送清浄処理におけるステップＳ１０３において近接センサ２１０Ｌ，２１０Ｒ；ｏｎになったと判定した後、ステップＳ１０９において清浄開始待ちタイマのタイマ値が０になったと判定したときに可動板２０１Ｌ，２０１Ｒを開放位置に移動して揚送清浄モータを駆動させ、また、ステップＳ１２１において近接センサ２１０Ｌ，２１０Ｒ；ｏｆｆになったと判定した後、ステップＳ１２７において清浄停止待ちタイマのタイマ値が０になったと判定したときに可動板２０１Ｌ，２０１Ｒを閉鎖位置に移動して揚送清浄モータを停止させる。また、揚送清浄制御用コントローラ２２０は、図１０に示す揚送清浄処理におけるステップＳ１２１において近接センサ２１０Ｌ，２１０Ｒ；ｏｆｆになったと判定したとき、ステップＳ１２５にて停止期間タイマをスタートさせて計時を開始させ、図１０に示す揚送清浄処理におけるステップＳ１０３において近接センサ２１０Ｌ，２１０Ｒ；ｏｎになったと判定したとき、ステップＳ１０４にて停止期間タイマの値が３１〜１２０秒の間であるときにはステップＳ１０５にて清浄開始待ちタイマに１２０秒をセットし、ステップＳ１０４にて停止期間タイマの値が３１〜１２０秒の間でないときにはステップＳ１０７にて清浄開始待ちタイマに１８０秒をセットし、ステップＳ１２８にて近接センサ２１０Ｌ，２１０Ｒ；ｏｎになったと判定したときには、清浄開始待ちタイマに値をセットせずに可動板２０１Ｌ，２０１Ｒを開放位置に移動させる。
【０１０２】
このようにすることで、回収通路に所定量以上の遊技球が滞留していると判定したときに揚送清浄動作を開始させ、回収通路に所定量以上の遊技球が滞留していないと判定したときに揚送清浄動作を停止させる、つまり、揚送清浄装置２５を間欠駆動できるため、無駄な揚送清浄動作、例えば、揚送清浄する遊技球が少ないにもかかわらず揚送清浄動作を実行してしまうこと等が防止される。
【０１０３】
また、揚送清浄動作を停止したときから回収通路に所定量以上の遊技球が滞留するまでの時間が短い場合、つまり、稼働しているパチンコ遊技機２が多い場合は揚送清浄動作を早く開始させ、回収通路に所定量以上の遊技球が滞留するまでの時間が長い場合、つまり、稼働しているパチンコ遊技機２が少ない場合は余裕をもって揚送清浄動作を開始させるなど、パチンコ遊技機２の稼働状況に応じて効率よく揚送清浄動作を行うことが可能となる。
【０１０４】
また、本実施例では、流下溝９Ｌ，９Ｒ、接続樋１０Ｌ，１０Ｒ、合流通路１１に滞留している遊技球を検出する検出手段としての近接センサ２１０Ｌ，２１０Ｒと、揚送清浄装置２５と近接センサ２１０Ｌ，２１０Ｒとの間に設けられ、該揚送清浄装置２５への遊技球の流入を許容する許容状態と許容しない非許容状態とに変化可能な可動手段としてのシャッタ装置２００Ｌ，２００Ｒと、を備え、揚送清浄制御用コントローラ２２０は、図１０に示す揚送清浄処理におけるステップＳ１０３において近接センサ２１０Ｌ，２１０Ｒ；ｏｎになったか否かを判定し、また、ステップＳ１２１において近接センサ２１０Ｌ，２１０Ｒ；ｏｆｆになったと判定したとき、ステップＳ１２２にてシャッタ装置２００Ｌ，２００Ｒを非許容状態に変化させ、ステップＳ１２３にて清浄停止待ちタイマに３０秒に相当する値をセットし、その後、ステップＳ１２７にて清浄停止待ちタイマの値が０になったと判定したときに、ステップＳ１３１にて揚送清浄モータ８０を停止させる。
【０１０５】
このようにすることで、揚送清浄装置２５内に遊技球が残存する状態で揚送清浄動作が停止することが防止できるとともに、シャッタ装置２００Ｌ，２００Ｒが非許容状態にあるときに遊技球が直接シャッタ装置２００Ｌ，２００Ｒの可動板２０１Ｌ，２０１Ｒに衝突することを防止できる。
【０１０６】
また、本実施例では、揚送清浄装置２５に供給するための電力を直流電力から交流電力に変換するためのインバータ２４０と、インバータ２４０を囲う金属製の金属ボックス２４１と、を備えることで、インバータ２４０を使用することにより発生するノイズにより周辺機器（例えば、揚送清浄制御用コントローラ２２０や近接センサ２１０Ｌ，２１０Ｒ、パチンコ遊技機２の各種電子機器等）に影響を与えることを回避できる。
【０１０７】
尚、本実施例では、本発明の清浄装置の一例として、遊技島１の下部に回収された遊技球を、遊技島１の上部の上部タンク３に揚送しつつ清浄する揚送清浄装置２５が適用されていたが、本発明はこれに限定されるものではなく、遊技球を遊技島１の上部に揚送せずに清浄機能のみを有する清浄装置に適用してもよい。具体的には、例えば、揚送装置とは別個に、遊技島１の内部に配設された遊技球流路の一部に本発明が適用された清浄装置を配設すればよい。
【０１０８】
また、本実施例では、近接センサ２１０Ｌ，２１０Ｒ；ｏｆｆと判定されたとき、所定の清浄停止待ち時間が経過してから揚送清浄モータ８０の駆動を停止するようになっていたが、本発明はこれに限定されるものではなく、近接センサ２１０Ｌ，２１０Ｒ；ｏｆｆと判定されたとき、所定の清浄停止待ち時間の経過を待つことなく、直ちに揚送清浄モータ８０の駆動が停止されるようにしてもよい。
【０１０９】
また、本実施例では、近接センサ２１０Ｌ，２１０Ｒ；ｏｎと判定されたことに基づいて揚送清浄動作が開始された後、近接センサ２１０Ｌ，２１０Ｒ；ｏｆｆと判定されたことに基づいて揚送清浄動作の停止条件が成立するようになっているが、本発明はこれに限定されるものではなく、揚送清浄動作が開始されてから所定時間経過後に揚送清浄動作の停止条件が成立するようにしてもよい。
【０１１０】
また、本実施例では、図１０に示す揚送清浄処理において、ステップＳ１２１にて近接センサ２１０Ｌ，２１０Ｒ；ｏｆｆと判定されたことに基づいて、ステップＳ１２５にて停止期間タイマによる計時を開始するようになっていたが、本発明はこれに限定されるものではなく、ステップＳ１２１にて近接センサ２１０Ｌ，２１０Ｒ；ｏｆｆと判定された場合、ステップＳ１２２〜１２４の処理のみを実行し、ステップＳ１３１にて揚送清浄モータ８０の駆動を停止したことに基づいて、停止期間タイマによる計時を開始するようにしてもよい。
【０１１１】
図１５には、本発明の変形例としての揚送清浄処理の一例が示されている。
【０１１２】
前記実施例では、図１０に示す揚送清浄処理において、ステップＳ１２１にて近接センサ２１０Ｌ，２１０Ｒ；ｏｆｆと判定されたことに基づいて、ステップＳ１２５にて停止期間タイマによる計時を開始するようになっていたが、本発明はこれに限定されるものではなく、図１５に示すように、ステップＳ１０３にて近接センサ２１０Ｌ，２１０Ｒ；ｏｎと判定された場合、ステップＳ１０４〜１０７の処理を実行した後、ステップＳ１０６ａにおいて、清浄開始待ち時間設定用タイマをリセットし、該清浄開始待ち時間設定用タイマによる計時を開始するようにしてもよい。また、この場合、ステップＳ１０４ａにおいて、清浄開始待ち時間設定用タイマのタイマ値が２００〜３００秒であるか否かを判定するようにすればよい。
【０１１３】
このようにした場合、ステップＳ１０３にて近接センサ２１０Ｌ，２１０Ｒ；ｏｎと判定されたことに基づいて、ステップＳ１１１にて揚送清浄動作を開始するとともに、当該揚送清浄動作が停止された後、次回、ステップＳ１０３にて近接センサ２１０Ｌ，２１０Ｒ；ｏｎと判定されたときに、前回近接センサ２１０Ｌ，２１０Ｒ；ｏｎと判定されたときから今回近接センサ２１０Ｌ，２１０Ｒ；ｏｎと判定されるまでの時間に応じて、ステップＳ１０５またはステップＳ１０７にて清浄開始待ち時間が設定（変更）される。
【０１１４】
すなわち、本発明は、前記実施例のように、近接センサ２１０Ｌ，２１０Ｒ；ｏｆｆと判定されたときから次に近接センサ２１０Ｌ，２１０Ｒ；ｏｎと判定されるまでの時間、つまり、揚送清浄動作が停止されている時間に応じて清浄開始待ち時間を設定（変更）するものに限定されるものではなく、本変形例のように、近接センサ２１０Ｌ，２１０Ｒ；ｏｎと判定されてから次に近接センサ２１０Ｌ，２１０Ｒ；ｏｎと判定されるまでの時間、つまり、前回揚送清浄動作が実行された期間とその後に揚送清浄動作が停止されていた期間とを合算した期間に応じて清浄開始待ち時間を設定（変更）するようにしてもよい。
【０１１５】
また、本変形例の場合においても、ステップＳ１０３にて近接センサ２１０Ｌ，２１０Ｒ；ｏｎと判定されたときに、ステップＳ１０６ａにて清浄開始待ち時間設定用タイマによる計時を新たに開始するものに限定されるものではなく、ステップＳ１０３にて近接センサ２１０Ｌ，２１０Ｒ；ｏｎと判定され、ステップＳ１１１にて揚送清浄モータ８０の駆動を開始したことに基づいて、清浄開始待ち時間設定用タイマによる計時を開始するようにしてもよい。
【０１１６】
また、本実施例では、接続樋１０Ｌ，１０Ｒにシャッタ装置２００Ｌ，２００Ｒが設けられていたが、本発明はこれに限定されるものではなく、流下溝９Ｌ，９Ｒ等、他の回収通路に配設されていてもよいし、特にこのようなシャッタ装置２００Ｌ，２００Ｒは設けられていなくてもよい。また、本実施例のシャッタ装置２００Ｌ，２００Ｒのように、シャッタ装置は各接続樋１０Ｌ，１０Ｒに対応して２箇所に配設されるものに限定されず、例えば、以下に説明する変形例としてのシャッタ装置５００のように、合流通路１１における流入口３７の手前に１つのみ配設されていてもよい。
【０１１７】
次に、本発明の変形例としてのシャッタ装置５００について、図１６〜図２２に基づいて説明する。図１６は、変形例としての揚送清浄装置の下部構造を示す要部拡大断面図である。図１７は、変形例としてのシャッタ装置を斜め後ろから見た状態示す斜視図である。図１８は、変形例としてのシャッタ装置を斜め前から見た状態を示す斜視図である。図１９は、変形例としてのシャッタ装置の内部構造を示す斜視図である。図２０は、変形例としてのシャッタ装置の内部構造を示す縦断面図である。図２１は、図２０のＣ−Ｃ断面図である。図２２は、（ａ）は流入位置、（ｂ）は閉鎖位置における可動通路部材と接続口との位置関係を示すである。図２３は、変形例としてのシャッタ装置による流下規制状況を示す概略図である。尚、揚送清浄装置は前記実施例の揚送清浄装置２５と同一であるため、同様の部位については説明は省略し、シャッタ装置についてのみ説明する。尚、前記実施例に記載のシャッタ装置２００Ｌ，２００Ｒは不要となるものとする。
【０１１８】
図１７〜図２１に示すように、シャッタ装置５００は、ベース板１１０上に固設される本体ユニット５０１と、本体ユニット５０１の上部に設けられる駆動ユニット５０２と、から主に構成されている。本体ユニット５０１は、金属性の左右の側板５０４Ｌ，５０４Ｒ及び後板５０３により背面側が開口する箱状に形成され、内部には合流通路５５０を構成する揺動通路部材５５１及びスノコレール５５２が設けられている。
【０１１９】
左右の側板５０４Ｌ，５０４Ｒの上部位置には、横長長方形状をなす接続口５０５Ｌ，５０５Ｒが形成されており、該接続口５０５Ｌ，５０５Ｒには接続樋１０Ｌ，１０Ｒが接続されている。
【０１２０】
後板５０３の上部には接続口５０６が形成されており、該接続口５０６には、図示しない他の遊技島の貯留タンクに接続される渡り樋５０７を連結するための連結樋５０８が、外方に向けて突出するように取り付けられている。また、接続口５０６は、接続口５０５Ｌ，５０５Ｒとほぼ同形状をなすとともに、少なくともそれぞれの下辺がほぼ同高さ位置に形成されている。
【０１２１】
揺動通路部材５５１は、図１９〜図２２に示すように、平面視略正方形状をなす通路板部５６０と、通路板部５６０の前辺から上方に屈曲される前板部５６１と、前板部５６１の上辺から後方に屈曲される上板部５６２と、により側面視略コ字形に形成されている。
【０１２２】
通路板部５６０は、左右の側板５０４Ｌ，５０４Ｒ及び後板５０３内面に対して３辺を近接させるように配設される。左右側辺は、接続口５０５Ｌ，５０５Ｒの下辺よりも若干長寸に形成され、後辺は、接続口５０６の下辺よりも若干長寸に形成されている。また、通路板部５６０の前後方向の略中央から後側にかけて、直径約２０ｍｍの円形の落下孔５６３が複数形成されている。よって、通路板部５６０上に流入した遊技球は落下孔５６３から落下して揚送清浄装置２５への流入が許容されるとともに、例えば遊技球の貸し出しに使用されるプリペイドカード等の大きな異物は捕捉され、揚送清浄装置２５への進入が防止される。
【０１２３】
また、通路板部５６０の左右側辺及び後辺からは、横長長方形状をなす規制片５６４Ｌ，５６４Ｒ，５６４Ｂがそれぞれ下方に向けて屈曲形成されている。これら規制片５６４Ｌ，５６４Ｒ，５６４Ｂの上下幅寸法は、遊技球の直径２Ｒよりも長寸とされている。
【０１２４】
このように、合流通路５５０の一部を構成する通路板部５６０は、回収通路である接続樋１０Ｌ，１０Ｒが接続される接続口５０５Ｌ，５０５Ｒや、渡り樋５０７が接続される接続口５０６それぞれに対応する位置に規制片５６４Ｌ，５６４Ｒ，５６４Ｂが形成されている。また、通路板部５６０は、合流通路５５０において、接続樋１０Ｌ，１０Ｒや渡り樋５０７等、複数の回収通路の遊技球が合流する合流部（合流通路５５０において、接続樋１０Ｌ，１０Ｒに対応する接続口５０５Ｌ，５０５Ｒ、及び渡り樋５０７に対応する接続口５０６に囲まれた部分）に設けられている。
【０１２５】
前板部５６１の左右側辺には、軸受片５６５Ｌ，５６５Ｒが前方に向けて屈曲形成されている。軸受片５６５Ｌ，５６５Ｒには、下端から上方に向けて係止溝５６６が切欠形成されており、該係止溝５６６は、左右の側板５０４Ｌ，５０４Ｒの所定高さ位置に内側に突出するように固設されたボルトからなる左右方向を向く回動軸５６７Ｌ，５６７Ｒに上方から係止される。これにより揺動通路部材５５１は、左右方向を向く回動軸５６７Ｌ，５６７Ｒを中心として上下方向に揺動可能に設けられている。
【０１２６】
上板部５６２は、接続口５０５Ｌ，５０５Ｒの上部付近に配設され、略正方形状の点検口５７０が形成されている。点検口５７０は、透光性を有する合成樹脂板からなる蓋板５７１により開閉可能に閉鎖されているため、下方の合流通路５５０内への異物やゴミ等の落下が防止されるとともに、点検口５７０から該蓋板５７１を通して合流通路５５０内を点検できるようになっている。また、蓋板５７１を開放することにより、点検口５７０から合流通路５５０内にアプローチすることができるため、ゴミ等が進入してしまった場合は点検口５７０から取り出すことができる。
【０１２７】
また、上板部５６２の上面後端部には、左右方向を向く連結軸５７３が設けられており、上端が駆動ユニット５０２と連結されたリンク部材５７４の下端を軸支している。
【０１２８】
揺動通路部材５５１の下方位置には、スノコレール５５２が、後側から前側に向けて下方に傾斜するように設けられ、下端が球導入通路１２３に接続されている。スノコレール５５２は、特に図２１に示すように、遊技球の流下通路の側面を形成する８本の側壁レール５５２ａと、各側壁レール５５２ａ間に配設され、遊技球の流下通路の底面を構成する７本の底壁レール５５２ｂと、これら側壁レール５５２ａ及び底壁レール５５２ｂを一体化するベース体５５２ｃと、から構成され、７列の流下通路１３５が形成されている。
【０１２９】
よって、落下孔５６３から落下した遊技球は、スノコレール５５２を流下して球導入通路１２３内に流入する。また、落下孔５６３を通過してスノコレール５５２上に落下した異物は、スノコレール５５２の間隙から下方に設けられた空間Ｓに落下するので、該空間Ｓから異物を除去できる。
【０１３０】
尚、落下孔５６３の直径は、合流通路５５０内に流入する遊技球をその下方のスノコレール５５２上に大量に落下させることなく、適量ずつ落下させることが可能な大きさに設定されている。このようにスノコレール５５２上への遊技球の流出量を抑制することで、スノコレール５５２やその下流側の球導入通路１２３上に多量の遊技球が流入して充満することにより、流入口３７付近の下部ローラ１０２や搬送ベルト１０３に高い球圧がかり、下部ローラ１０２を回転駆動させる揚送清浄モータ（図示略）等に過剰な負荷が加わることが防止されている。
【０１３１】
図１９〜図２１に示すように、駆動ユニット５０２は、本体ユニット５０１の上部に設けられる天板５７６上に固設されている。具体的には、昇降モータ５８０と、昇降モータ５８０の背面側に、軸心周りに回動可能に支持された上下方向を向く昇降ロッド５８１と、昇降モータ５８０の駆動力を昇降ロッド５８１に伝達するギヤ（図示略）が内蔵されたギヤボックス５８２と、昇降ロッド５８１に昇降可能に設けられた昇降体５８３と、昇降ロッド５８１に対し並設され、昇降体５８３を昇降案内する左右一対の案内ロッド５８４と、から主に構成されている。
【０１３２】
昇降体５８３は、昇降ロッド５８１の外周に形成された雄ネジ部に螺入可能な雌ネジ部５８３ａを有し、該雌ネジ部５８３ａを介して昇降ロッド５８１の外周に螺入されている。そして案内ロッド５８４に対して長手方向に摺動可能に挿通されていることで、昇降ロッド５８１を中心とした回動が規制されている。
【０１３３】
昇降体５８３には、リンク部材５７４の上端が、左右方向を向く回動軸５７５を介して軸支されている。また、左側方には検出片５８５が突設されており、昇降体５８３が上方位置にあるときは上限センサ５８６ａの検出片を押圧し、下方位置にあるときは下限センサ５８６ｂの検出片を押圧する。
【０１３４】
また、昇降モータ５８０の前面側には、昇降モータ５８０及び上限センサ５８６ａ、下限センサ５８６ｂが接続される昇降基板５８７が配設されている。この昇降基板５８７は、揚送清浄基板２２１に接続されており、揚送清浄制御用コントローラ２２０からの指令及び上限センサ５８６ａ、下限センサ５８６ｂの検出結果に基づいて昇降モータ５８０の駆動制御が行われるようになっている。また、駆動ユニット５０２の上部には、昇降モータ５８０を手動で駆動・停止させることが可能な手動スイッチ５８８（図１７，１８参照）が設けられている。
【０１３５】
昇降体５８３は、下限センサ５８６ｂにより検出片５８５が検出される下限位置と、上限センサ５８６ａにより検出片５８５が検出される上限位置と、の間で上下方向に移動可能に設けられている。そして、昇降モータ５８０の駆動力がギヤボックス５８２を介して昇降ロッド５８１に伝達され、該昇降ロッド５８１が軸心周りに回動することで、案内ロッド５８４により昇降ロッド５８１を中心とした回動が規制された昇降体５８３が、上方または下方に移動する。
【０１３６】
そして、このように昇降体５８３が昇降することにより、リンク部材５７４を介して揺動通路部材５５１の後端が上昇または下降させられることで、回動軸５６７Ｌ，５６７Ｒを中心として後端側が上下に揺動する。
【０１３７】
具体的には、昇降体５８３が下限位置にあるとき、揺動通路部材５５１は、通路板部５６０及び規制片５６４Ｌ，５６４Ｒ，５６４Ｂが、各接続口５０５Ｌ，５０５Ｒ，５０６の下辺５０５ａより下方に、該下辺５０５ａに対して前後方向に僅かに傾斜した状態で位置する流入位置になる（図２２（ａ）参照）。
【０１３８】
つまり、この流入位置では、通路板部５６０が接続口５０５Ｌ，５０５Ｒに接続される接続樋１０Ｌ，１０Ｒよりも下方に位置するとともに、規制片５６４Ｌ，５６４Ｒ，５６４Ｂも接続樋１０Ｌ，１０Ｒから下方に退避しているので、接続口５０５Ｌ，５０５Ｒから遊技球の流入を通路板部５６０への遊技球の流入が許容される。
【０１３９】
昇降体５８３が下限位置にあるとき、揺動通路部材５５１は、通路板部５６０及び規制片５６４Ｌ，５６４Ｒ，５６４Ｂが、各接続口５０５Ｌ，５０５Ｒ，５０６の下辺５０５ａより下方に、該下辺５０５ａに対して前後方向に僅かに傾斜した状態で位置する流入位置になる（図２２（ａ）参照）。
【０１４０】
つまり、この流入位置では、通路板部５６０が接続口５０５Ｌ，５０５Ｒに接続される接続樋１０Ｌ，１０Ｒよりも下方に位置するとともに、規制片５６４Ｌ，５６４Ｒ，５６４Ｂが接続樋１０Ｌ，１０Ｒから下方に退避しているので、接続樋１０Ｌ，１０Ｒの遊技球が接続口５０５Ｌ，５０５Ｒを介して通路板部５６０に流入可能となる。
【０１４１】
また、昇降体５８３が上限位置にあるとき、揺動通路部材５５１は、通路板部５６０が各接続口５０５Ｌ，５０５Ｒ，５０６の下辺５０５ａより上方に、該下辺５０５ａに対して前後方向に傾斜した状態で位置するとともに、規制片５６４Ｌ，５６４Ｒ，５６４Ｂの一部が通路板部５６０と下辺５０５ａとの間に形成された隙間を塞ぐ閉鎖位置になる（図２２（ｂ）参照）。
【０１４２】
つまり、この閉鎖位置では、通路板部５６０が接続口５０５Ｌ，５０５Ｒに接続される接続樋１０Ｌ，１０Ｒの上方に位置するとともに、規制片５６４Ｌ，５６４Ｒ，５６４Ｂが接続樋１０Ｌ，１０Ｒの底板上に進出しているので、接続樋１０Ｌ，１０Ｒの遊技球が接続口５０５Ｌ，５０５Ｒを介して通路板部５６０に流入することが困難となる。
【０１４３】
このように、流入位置と閉鎖位置との間で揺動可能に設けられた揺動通路部材５５１は、回収通路としての接続樋１０Ｌ，１０Ｒと揚送清浄装置２５とを接続する合流通路５５０の一部を構成する通路板部５６０を有している。つまり、合流通路５５０の一部を構成する通路板部５６０が、接続樋１０Ｌ，１０Ｒに対し上下方向に移動可能に設けられていることで、閉鎖位置において合流通路５５０の一部を遮断（流下規制）することが可能とされている。
【０１４４】
揚送清浄装置２５は、接続樋１０Ｌ，１０Ｒを流下した後、合流通路５５０にて合流し、通路板部５６０の落下孔５６３を通過してスノコレール５５２上に落下し、球導入通路１２３により誘導されて流入口３７を介して内部に流入した遊技球を、搬送ベルト１０３の移動により、アール状通路１２１及び直線状通路１１５、上部通路１１９内を移送させ、清浄布１１６により清浄しながら上方へ揚送し、本体１００の上部に設けられた排出口３８から排出することができるようになっている。
【０１４５】
次に、このように構成されたシャッタ装置５００の作用について、図２３に基づいて説明する。尚、以下の説明においては、主に接続口５０５Ｌ，５０５Ｒにおける遊技球の流入状況について説明し、接続口５０６については後述する。
【０１４６】
まず、揚送清浄装置２５により上部タンク３に遊技球を揚送する場合、揺動通路部材５５１は流入位置に位置する。すなわち、通路板部５６０が接続樋１０Ｌ，１０Ｒの下方に位置するとともに、規制片５６４Ｌ，５６４Ｒ，５６４Ｂが接続樋１０Ｌ，１０Ｒから下方に退避しているので、接続樋１０Ｌ，１０Ｒを流下してきた遊技球は、接続口５０５Ｌ，５０５Ｒから落下して通路板部５６０上に流入する（図２３（ａ）参照）。
【０１４７】
通路板部５６０上に落下した遊技球は、後側から前側に向けて流下しつつ落下孔５６３からスノコレール５５２上に落下した後、スノコレール５５２上を流下し、流入口３７を介して揚送清浄装置２５の内部に誘導される。
【０１４８】
次いで、上部タンク３への揚送を停止するために、揺動通路部材５５１の閉鎖位置への揺動が開始されると、通路板部５６０は、回動軸５６７Ｌ，５６７Ｒを中心として揺動することで、通路板部５６０の左右側辺の前端部（回動軸５６７Ｌ，５６７Ｒと反対側の端部）が後端部（回動軸５６７Ｌ，５６７Ｒ側）よりも先に接続口５０５Ｌ，５０５Ｒの下辺５０５ａに到達し、前端部側から後端部側に向けて漸次上昇していく。
【０１４９】
また、通路板部５６０の左右側辺とともに規制片５６４Ｌ，５６４Ｒが上昇してきて、接続口５０５Ｌ，５０５Ｒにおける通路板部５６０の左右側辺と下辺５０５ａとの間の領域を閉鎖していくため、該領域からスノコレール５５２への遊技球の落下が規制される。つまり、接続樋１０Ｌ，１０Ｒの接続端部に、遊技球の流出を規制する壁部が幅方向にわたり立設されていく（図２３（ｂ）参照）。
【０１５０】
このように、揺動通路部材５５１は回動軸５６７Ｌ，５６７Ｒを中心として揺動可能に設けられていることで、通路板部５６０は、下辺５０５ａの長手方向の一端側から他端側に向けて漸次上方に突出、つまり、接続樋１０Ｌ，１０Ｒの下方から通路の幅方向に向けて漸次進出する。よって、上昇してきた規制片５６４Ｌ，５６４Ｒに流下が阻止された遊技球は、通路の幅方向に移動でき、通路の幅方向にわたり一斉に流下が阻止されないので、通路の幅方向にわたり通路板部５６０を一斉に上昇させる場合に比べて、昇降モータ５８０に無理な負荷がかかりにくい。
【０１５１】
また、接続口５０５Ｌ，５０５Ｒの前側から流入が規制されていくとともに、通路板部５６０が後側に傾倒していくことで、遊技球は通路板部５６０の後側にのみ流入可能となっていく。そして、通路板部５６０の後側には落下孔５３０は形成されていないので、遊技球がある程度貯留され、溢れた遊技球が主に前後方向の略中央位置の落下孔５３０から落下するだけなので、スノコレール５２２への流入量は徐々に減少していく（図２３（ｂ）参照）。
【０１５２】
そして閉鎖位置になると、通路板部５６０は、後側の一部を除きほぼ下辺５０５ａよりも上方に位置するとともに、規制片５６４Ｌ，５６４Ｒにより接続口５０５Ｌ，５０５Ｒにおける通路板部５６０の左右側辺と下辺５０５ａとの間の領域が閉鎖されるため、接続樋１０Ｌ，１０Ｒから通路板部５６０への流入がほぼ規制される。
【０１５３】
接続口５０５Ｌ，５０５Ｒの後側には、遊技球が通路板部５６０に流入可能な領域が僅かにあるが、通路板部５６０の後側への傾倒が大きくなり、中央の落下孔５３０が下辺５０５ａよりも上方にあるため、通路板部５６０上の後部にある遊技球は、接続樋１０Ｌ，１０Ｒからの後続球により大きな球圧がかからない限り、通路板部５６０を乗り上がって落下孔５３０から溢れ落ちることはない（図２３（ｃ）参照）。
【０１５４】
また、通路板部５６０の左右対向位置からそれぞれ流入する遊技球を、規制片５６４Ｌ，５６４Ｒにより全て当接規制するのではなく、一部の遊技球を流入可能とすることで、通路板部５６０の上面にて、左右の接続樋１０Ｌ，１０Ｒの遊技球同士が互いの通路内の球圧を受けながら、後側に流下不能に維持されるので、規制片５６４Ｌ，５６４Ｒにかかる球圧が軽減される。
【０１５５】
また、閉鎖位置から流入位置まで下降する場合は、特に詳細な説明はしないが、流入位置から閉鎖位置まで上昇する場合と逆の動作を行う。そしてこの場合、揺動通路部材５５１の下降に応じて少しずつ遊技球の流入規制が解除されていくため、堰き止めていた遊技球が一斉に揚送清浄装置２５内に流入して球詰まりが生じること等がない。
【０１５６】
また、接続口５０６においては、図２０に示すように、流入位置において通路板部５６０及び規制片５６４Ｂが接続口５０６の下辺よりも下方に位置するため、渡り樋５０７の遊技球が通路板部５６０に流入可能となる。一方、閉鎖位置において通路板部５６０が接続口５０６の下辺とほぼ同高さ位置になるとともに、規制片５６４Ｂが下辺よりも上方に進出するため、渡り樋５０７の遊技球の通路板部５６０への流入が規制される。
【０１５７】
また、接続口５０６は、回動軸５６７Ｌ，５６７Ｒに対して平行に設けられているため、揺動通路部材５５１が流入位置から閉鎖位置に揺動する際に、規制片５６４Ｂは、接続口５０６の左右幅方向に渡り一斉に上昇することになるので、速やかに流下を規制することができる。
【０１５８】
以上説明したように、本変形例としてのシャッタ装置５００にあっては、接続樋１０Ｌ，１０Ｒの遊技球は、揺動通路部材５５１が流入位置にあるときは、通路板部５６０が接続樋１０Ｌ，１０Ｒの下方に位置するとともに規制片５６４Ｌ，５６４Ｒが退避するため、通路板部５６０に流入可能となる。また、揺動通路部材５５１が閉鎖位置にあるときは、通路板部５６０が接続樋１０Ｌ，１０Ｒの上方に位置することで該通路板部５６０への流入が困難または不可となるとともに、規制片５６４Ｌ，５６４Ｒが接続樋１０Ｌ，１０Ｒに進出して通路板部５６０への流入を阻止する。
【０１５９】
また、揺動通路部材５５１を合流部に設けることで、各接続樋１０Ｌ，１０Ｒに対応する規制片５６４Ｌ，５６４Ｒを通路板部５６０に一体に設けることができ、これにより揺動通路部材５５１の移動に応じて複数の規制片５６４Ｌ，５６４Ｒが一斉に移動して複数の接続樋１０Ｌ，１０Ｒからの遊技球の流下を規制できるため、各接続樋１０Ｌ，１０Ｒ毎に規制片５６４Ｌ，５６４Ｒを変位可能に設ける必要がないばかりか、通路を構成する通路部材を利用して複数の規制片５６４Ｌ，５６４Ｒを連動させることができるので、部品点数を削減して構造を簡素化し、製造コストを低減することができる。
【０１６０】
また、規制片５６４Ｌ，５６４Ｒは、板状部材からなる通路板部５６０の周縁から下方に屈曲させることにより該通路板部５６０に一体に形成されているため、接続樋１０Ｌ，１０Ｒの遊技球の球圧がかかっても、揺動通路部材５５１全体で受けることができるため、安定して規制することができる。
【０１６１】
また、通路板部５６０を利用して複数の規制片５６４Ｌ，５６４Ｒ，５６４Ｂを連動させることで、複数の規制片５６４Ｌ，５６４Ｒ，５６４Ｂを連動させる連動部材等が不要であるため、部品点数を削減できるとともに、従来のように各回収通路それぞれにシャッタ装置を設けることなく、合流部において１つのシャッタ装置で複数の回収通路からの遊技球の流入を一斉に規制することができる。
【０１６２】
また、本変形例のシャッタ装置５００は、複数の回収通路からの遊技球が合流する合流部に、流入位置と閉鎖位置との間で変位可能な可動通路部材を設けるとともに、その本体ユニット５０１の上部に駆動ユニット５０２を設けて可動通路部材を連結するだけで該可動通路部材を昇降させることができるため、既存の遊技島に設置された揚送清浄装置にも、簡単にシャッタ装置を設けることができる。
【０１６３】
また、本変形例のシャッタ装置５００は、合流通路５５０を有する本体ユニット５０１と揺動通路部材５５１を揺動させる駆動ユニット５０２とがそれぞれユニット化されているため、シャッタ装置５００が必要な場合は本体ユニット５０１に駆動ユニット５０２を組み付けた製品を納品することができ、また、シャッタ装置５００が不要な場合は本体ユニット５０１のみを製品として納品する、つまり、遊技店の遊技島に対応した仕様で製品を提供することができ、これにより複数種類の製品を予め用意する必要がないので、製造コストを低減できる。
【０１６４】
また、規制片５６４Ｌ，５６４Ｒ，５６４Ｂは、通路板部５６０の周縁における接続樋１０Ｌ，１０Ｒ及び渡り樋５０７に対応する位置から下方に向けて連設される壁部にて構成されていることで、揺動通路部材５５１が上昇することにより規制片５６４Ｌ，５６４Ｒ，５６４Ｂが下方から上昇して接続樋１０Ｌ，１０Ｒ及び渡り樋５０７からの遊技球の流出を規制するので、合流通路５５０と接続樋１０Ｌ，１０Ｒ及び渡り樋５０７との接続位置にある遊技球が規制片５６４Ｌ，５６４Ｒ，５６４Ｂに挟まれること等が防止される。
【０１６５】
尚、本変形例では、通路板部５６０の周縁における接続樋１０Ｌ，１０Ｒに対応する位置に設けられ、該接続樋１０Ｌ，１０Ｒから該通路板部５６０への遊技球の流入を規制する規制部は、板状部材の周縁を屈曲することにより形成される規制片５６４Ｌ，５６４Ｒにて構成されていたが、例えば肉厚の板部材にて揺動通路部材５５１を構成し、その上面を通路部、側端面を規制部としてもよい。
【０１６６】
また、遊技球の流下を当接により規制できるものであれば、規制片５６４Ｌ，５６４Ｒのような壁部にて構成されているものに限られず、網状部材、柵状部材、糸状部材等の他の部材にて構成されていてもよい。
【０１６７】
また、揺動通路部材５５１は、接続樋１０Ｌ，１０Ｒの幅方向の一端側に、該幅方向に対し略直交する方向に設けられた回動軸５６７Ｌ，５６７Ｒを中心として揺動可能に設けられていることで、閉鎖位置に向けて移動する際に、接続樋１０Ｌ，１０Ｒの幅方向の一端側から他端側に向けて徐々に接続樋１０Ｌ，１０Ｒ上に進出していくことで、遊技球が徐々に規制または解除されるため、幅方向にわたり一斉に進出させる場合に比べて、昇降モータ５８０に無理な負荷がかかりにくい。
【０１６８】
また、回動軸５６７Ｌ，５６７Ｒは、接続樋１０Ｌ，１０Ｒに対し幅方向に離れた位置に設けられているため、接続樋１０Ｌ，１０Ｒの幅方向にわたり通路板部５６０を接続樋１０Ｌ，１０Ｒ上に進出させることができるので、遊技球の流入を確実に規制できる。
【０１６９】
また、本変形例では、揺動通路部材５５１を揺動させていたが、例えば図２４に示すように、接続樋１０Ｌ，１０Ｒに対し略平行な状態で流入位置（図２４中実線位置参照）と閉鎖位置（図２４中２点鎖線線位置参照）との間で直線移動（上下動）可能に支持する支持手段を備えていてもよい。
【０１７０】
具体的には、支持手段は、本体ユニット５０１に固定された上下方向を向く案内部としてのガイド棒５９０と、揺動通路部材５５１の前板部５６１の前面に固設され、ガイド棒５９０に摺動可能に挿入された被案内部としての筒状部材５９１と、により構成されていてもよい。尚、これら支持手段は揺動通路部材５５１の複数箇所に設けられていることが好ましい。駆動手段は、前記実施例と同様に、昇降モータ５８０、昇降ロッド５８１、ギヤボックス５８２、昇降体５８３、リンク部材５７４及び制御装置にて構成されていればよい。
【０１７１】
この場合、揺動通路部材５５１は、閉鎖位置または流入位置に移動する際に、接続樋１０Ｌ，１０Ｒの幅方向にわたり一斉に進出または退避するので、接続樋１０Ｌ，１０Ｒの遊技球を一斉に規制または解除することができるため、遊技球を速やかに規制または解除できる。また、支持手段により支持されるため、規制部に回収通路からの球圧がかかっている状態でも、安定して移動させることができる。
【０１７２】
また、このように上下動可能に設けた場合において、通路板部５６０を水平にするのではなく、前後方向に傾倒させた状態で昇降させるようにしてもよい。
【０１７３】
また、本実施例のシャッタ装置５００は、揚送清浄装置２５における直線状通路カバー１０４と反対側に配設されているため（図４参照）、揚送清浄装置２５の清浄布１１６の交換などメンテナンス作業等の邪魔になることがない。
【０１７４】
また、本変形例の揺動通路部材５５１は、流入位置において前側から後側に向けて下方に傾斜するように配設され、接続樋１０Ｌ，１０Ｒから流入した遊技球を後側に向けて流下させるとともに、複数の落下孔５６３から下方に落下させるように構成されていたが、接続樋１０Ｌ，１０Ｒから流入した遊技球を揚送清浄装置２５に流入可能とするものであれば、このように複数の落下孔５６３から下方に落下させるものに限定されるものではなく、例えば、遊技球を後側に向けて流下させた後、後端から下方に落下させるものであってもよい。さらに、上記のような板状部材にて構成されていなくてもよく、例えばスノコレール５５２のようなレール部材にて構成されていてもよい。
【０１７５】
また、合流通路５５０は、揺動通路部材５５１の通路板部５６０とスノコレール５５２とにより、側面視略くの字形に構成されていたが、揚送清浄装置２５に遊技球を流入可能とする通路であれば流下形態は種々に変更可能であり、通路板部５６０のみにより構成されていてもよい。
【０１７６】
また、本変形例では、回収通路の一例として、合流部の左右側に連結される接続樋１０Ｌ，１０Ｒ及び渡り樋５０７にて構成されていたが、４以上の通路が合流する箇所に可動通路部材を設けてもよい。
【０１７７】
また、本変形例では、シャッタ装置５００は、揚送清浄装置２５の一部を構成する装置として記載したが、揚送清浄装置２５とは別個の装置として構成されていてもよい。
【０１７８】
図２５は、例えば、揚送清浄装置２５における直線状通路１１５の一部や排出カバー１２０内等に適用して揚送経路の一部を構成する揚送パイプの紙パイプ１１１０の構造を示す図である。図２５（Ａ）は、紙パイプ１１１０の斜視図である。図２５（Ｂ）は、紙パイプ１１１０の断面斜視図である。
【０１７９】
図２５（Ａ）および図２５（Ｂ）を参照して、紙パイプ１１１０は、紙パイプ１１１０のベースとなる筒体１１１２と、この筒体１１１２の内側に形成された高分子樹脂層１１１１とを有する。この紙パイプ１１１０の内側を、遊技球Ｐが通流する。
【０１８０】
遊技球Ｐは、直径が１１ｍｍである。筒体１１１２は、厚さ１ｍｍ、内径１２ｍｍである。高分子樹脂層１１１１は、幅３ｃｍ、厚さ３０μｍの帯状体を螺旋状に巻いて形成される。また、隣合う帯状体は、縁同士が重ねられる。本実施の形態においては、重なり幅は、０．３ｍｍである。高分子樹脂層１１１１は、接着剤で、筒体１１１２の内側に貼り付けられる。
【０１８１】
高分子樹脂層１１１１の表面、および、帯状体の重なった段差部分で、遊技球Ｐの汚れを除去することができる。その除去された汚れが、帯状体の重なった段差部分に溜まる。また、その溜まった汚れの吸着力によって遊技球Ｐの汚れをさらに除去することができる。これは、汚れ同士の吸着力の方が、遊技球Ｐと汚れとの吸着力よりも強いからであると考えられる。これにより、段差部分に溜まった汚れが遊技球Ｐから汚れを引き剥がすことができる。
【０１８２】
尚、各部の寸法は、遊技球Ｐの通流を妨げない限り、他の寸法であってもよい。たとえば、筒体１１１２の内径を１１．５ｍｍ、帯状体の厚さを５０μｍとした場合、帯状体の重なり部分では、紙パイプ１１１０の内径が、１１．５−５０／１０００×２＝１１．４ｍｍとなる。しかし、この場合の紙パイプ１１１０の内径は、遊技球Ｐの直径１１ｍｍよりも大きいので、遊技球Ｐの通流は可能である。
【０１８３】
高分子樹脂層１１１１の帯状体は、少なくとも、筒体１１１２よりも水蒸気透過度が低いものであれば、高分子樹脂層１１１１が無い場合と比較して、筒体１１１２の外に放散する水分の量を減らすことができる。
【０１８４】
高分子樹脂の帯状体としては、たとえば、ゼクロン（登録商標）（ポリアクリロニトリル（以下「ＰＡＮ」という）系樹脂であるバレックス（登録商標）をシート状に成形したもの）３０μｍフィルム、ハイトロン（登録商標）ＢＸ（ＰＡＮ系樹脂）３０μｍフィルム、または、ハイトロン（登録商標）ＰＧ（ポリエチレンテレフタレート（以下「ＰＥＴ」という）系樹脂）３０μｍフィルムなどを用いることができる。
【０１８５】
しかし、これに限定されず、高分子樹脂の帯状体としては、４０±０．５℃、９０±２％ＲＨにおける水蒸気透過度が１０００ｇ／ｍ2・２４ｈ以下であれば、他の高分子樹脂フィルムであってもよい。一般的に、高分子樹脂フィルムは、筒体１１１２のボール紙のような紙よりも、水蒸気透過度が低い。揚送パイプの内面の層の高分子樹脂の水蒸気透過度が所定値以下であり、紙パイプ１１１０よりも低い。このような高分子樹脂フィルムを用いれば、揚送装置によって、揚送パイプの内部に遊技球を通流させる場合に、遊技球Ｐの汚れ（たとえば、乳酸塩）の水分を残し易くすることができる。その結果、遊技球の汚れを落とし難くすることなく、汚れを除去することができる。
【０１８６】
たとえば、高分子樹脂の帯状体は、ＰＶＤＣ（ポリ塩化ビニリデン、ＶＤＣ−ＭＡ共重合（塩化ビニリデン−メタクリル酸共重合体））、ＥＶＯＨ（ＥＶＡ（エチレン−酢酸ビニル共重合体）ケン化物）、ＯＶ（ＰＶＤＣコート延伸ＰＶＡ）、ＭＸＤ６（メタキシリデンアジパミド）、ＰＡＮ、ＰＶＤＣコートＯＮｙ（二軸延伸ポリアミド）、ＰＶＤＣコートセロハン、ＰＶＤＣコートＯＰＰ（二軸延伸ポリプロピレン）、ＯＮｙ、ＣＮｙ（無延伸ポリアミド）、セロハン、ＰＶＤＣ（ＶＤＣ−ＶＣ共重合（塩化ビニリデン−塩化ビニル共重合））、ＰＥＴ、ＰＶＣ（ポリ塩化ビニル）、ＯＰＰ、ＨＤＰＥ（高密度ポリエチレン）、ＣＰＰ（無延伸ポリプロピレン）、ＰＣ（ポリカーボネート）、ＰＳ（ポリスチレン）、ＬＤＰＥ（低密度ポリエチレン）などの食品包装用プラスチックフィルム（「科学と工業」，８０（１２），ｐ６０２〜６０８，２００６）であってもよい。
【０１８７】
これらの食品包装用プラスチックフィルムは、２５μｍで、水蒸気透過度が１０００ｇ／ｍ2・２４ｈ以下である。高分子樹脂フィルムにおいては、フィルムの厚さおよび水蒸気透過度が反比例の関係を有するといわれている。つまり、フィルムの厚さをＸ倍にすれば、水蒸気透過度が１／Ｘ倍となる。
【０１８８】
高分子樹脂の帯状体は、上述した基準を満たす限り、単体フィルム（ＥＶＯＨ系樹脂フィルム、ＰＶＤＣ系フィルム、ナイロン系フィルムなど）、コートフィルム（ＰＶＤＣコートフィルム、アクリル酸系樹脂コーティングフィルムなど）であってもよい。また、蒸着フィルム（アルミ蒸着フィルム、アルミナ蒸着フィルム、シリカ蒸着フィルム、２元蒸着フィルム）、共押出フィルム（ＯＮＹ系共押出フィルム、ＥＶＯＨ共押出ＯＰＰフィルム、ＰＶＡコートＯＰＰフィルム）、積層化フィルムであってもよい。
【０１８９】
高分子樹脂の帯状体の水蒸気透過度は、好ましくは、ＪＩＳ  Ｚ１７０７の「食品包装用プラスチックフィルム通則」に規定されている水蒸気透過度の級区分のうち、４級以下であり、さらに好ましくは、３級以下、２級以下、または、１級である。
【０１９０】
尚、ＪＩＳ  Ｚ１７０７の水蒸気透過度の級区分は、１級は、１以下、２級は、１を超え５以下、３級は、５を超え２０以下、４級は、２０を超え１００以下、５級は１００を超えるものであり、単位は、ｇ／ｍ2・２４ｈである。それぞれの級の食品包装用プラスチックフィルムは、用途およびコストによって使い分けられるので、級区分には、臨界的意義があるといえる。
【０１９１】
水蒸気透過度は、ＪＩＳ  Ｋ７１２９の「プラスチック−フィルムおよびシート−水蒸気透過度の求め方（機器測定法）」またはＪＩＳ  Ｚ０２０８の「防湿包装材料の透湿度試験方法（カップ法）」に規定されている試験で求めることができる。
【０１９２】
また、高分子樹脂層１１１１の帯状体は、少なくとも、筒体１１１２よりも酸素ガス透過度が低いものであれば、高分子樹脂層１１１１が無い場合と比較して、筒体１１１２の外から流入する酸素の量を減らすことができる。
【０１９３】
高分子樹脂の帯状体としては、２３±０．５℃、５０±２％ＲＨにおける酸素ガス透過度が５０００ｆｍｏｌ／ｍ2・ｓ・Ｐａ以下であれば、他の高分子樹脂フィルムであってもよい。一般的に、高分子樹脂フィルムは、筒体１１１２のボール紙のような紙よりも、酸素ガス透過度が低い。揚送パイプの内面の層の高分子樹脂の酸素ガス透過度が所定値以下であり、紙パイプ１１１０よりも低い。このような高分子樹脂フィルムを用いれば、揚送装置によって、揚送パイプの内部に遊技球を通流させる場合に、揚送パイプの内側への酸素の流入を抑制することができる。その結果、揚送装置の各部の酸化による汚れの発生を防止することができる。また、汚れの酸化による酸化臭の発生を抑制することができる。
【０１９４】
たとえば、前述した水蒸気透過度の低い高分子樹脂のうち、ＰＶＤＣ、ＥＶＯＨ、ＯＶ、ＭＸＤ６、ＰＡＮ、ＰＶＤＣコートＯＮｙ、ＰＶＤＣコートセロハン、ＰＶＤＣコートＯＰＰ、ＯＮｙ、ＣＮｙ、セロハン、ＰＶＤＣ、ＰＥＴ、ＰＶＣであれば、２５μｍで、酸素ガス透過度が５０００ｆｍｏｌ／ｍ2・ｓ・Ｐａ以下である。高分子樹脂フィルムにおいては、フィルムの厚さおよび酸素ガス透過度が反比例の関係を有するといわれている。つまり、フィルムの厚さをＸ倍にすれば、酸素ガス透過度が１／Ｘ倍となる。
【０１９５】
高分子樹脂の帯状体の酸素ガス透過度は、好ましくは、ＪＩＳ  Ｚ１７０７の「食品包装用プラスチックフィルム通則」に規定されている酸素ガス透過度の級区分のうち、４級以下であり、さらに好ましくは、３級以下、２級以下、または、１級である。
【０１９６】
尚、ＪＩＳ  Ｚ１７０７の酸素ガス透過度の級区分は、１級は、５以下、２級は、５を超え２５以下、３級は、２５を超え１００以下、４級は、１００を超え５００以下、５級は５００を超えるものであり、単位は、ｆｍｏｌ／ｍ2・ｓ・Ｐａである。それぞれの級の食品包装用プラスチックフィルムは、用途およびコストによって使い分けられるので、級区分には、臨界的意義があるといえる。
【０１９７】
酸素ガス透過度は、ＪＩＳ  Ｋ７１２６−１の「プラスチック−フィルムおよびシート−ガス透過度試験方法−第１部：差圧法」またはＪＩＳ  Ｋ７１２６−２の「プラスチック−フィルムおよびシート−ガス透過度試験方法−第２部：等圧法」に規定されている試験で求めることができる。
【０１９８】
また、高分子樹脂層１１１１の内面は、少なくとも、筒体１１１２の内面よりも動摩擦係数および静止摩擦係数が低ければ、筒体１１１２の内面に高分子樹脂層１１１１が無い場合と比較して、揚送パイプの内面と遊技球Ｐとの摩擦を少なくすることができる。一般的に、高分子樹脂フィルムは、筒体１１１２のボール紙のような紙よりも、動摩擦係数および静止摩擦係数が低い。その結果、揚送パイプの遊技球の通流を滑らかにすることができる。
【０１９９】
動摩擦係数および静止摩擦係数は、ＪＩＳ  Ｋ７１２５の「プラスチック−フィルムおよびシート−摩擦係数試験方法」に規定されている試験で求めることができる。
【０２００】
また、筒体１１１２および高分子樹脂層１１１１は、接着剤で貼り付けることで固定する。接着剤としては、エポキシ系接着剤、アクリル系接着剤、および、両面粘着テープなど、高分子樹脂層１１１１のプラスチックおよび筒体１１１２の紙の両方に適応可能な接着剤を用いることができる。
【０２０１】
また、フィルム用ガスバリア接着剤を用いれば、高分子樹脂層１１１１の水蒸気および酸素ガスのガスバリア性を向上させることができる。
【０２０２】
以上、本発明の実施例を図面により説明してきたが、具体的な構成はこれら実施例に限られるものではなく、本発明の要旨を逸脱しない範囲における変更や追加があっても本発明に含まれる。
【０２０３】
例えば、前記実施例の揚送清浄装置２５は、本体１００の上下に設けられた上部ローラ１０１と下部ローラ１０２とに掛け渡され、上部ローラ１０１及び下部ローラ１０２の回転により周回する搬送ベルト１０３と、下部ローラ１０２を駆動させる揚送清浄モータ８０と、を備え、揚送清浄モータ８０を駆動して下部ローラ１０２を回転させて搬送ベルト１０３を回転させることにより遊技球を揚送する揚送清浄装置２５が適用されていたが、例えば直線状通路１１５の下部に設けた駆動スプロケット等を回転駆動することにより、遊技球を揚送する揚送清浄装置等を適用してもよい。
【符号の説明】
【０２０４】
１        遊技島
２        パチンコ遊技機
２５      揚送清浄装置
２４０    インバータ
２２０    揚送清浄制御用コントローラ
２００Ｌ，２００Ｒ    シャッタ装置
２０１Ｌ，２０１Ｒ    可動板
２０２Ｌ，２０２Ｒ    シャッタモータ
２１０Ｌ，２１０Ｒ    近接センサ
２４１    金属ボックス
【図１】
2015029718.tif 000003
【図２】
2015029718.tif 000004
【図３】
2015029718.tif 000005
【図４】
2015029718.tif 000006
【図５】
2015029718.tif 000007
【図６】
2015029718.tif 000008
【図７】
2015029718.tif 000009
【図８】
2015029718.tif 000010
【図９】
2015029718.tif 000011
【図１０】
2015029718.tif 000012
【図１１】
2015029718.tif 000013
【図１２】
2015029718.tif 000014
【図１３】
2015029718.tif 000015
【図１４】
2015029718.tif 000016
【図１５】
2015029718.tif 000017
【図１６】
2015029718.tif 000018
【図１７】
2015029718.tif 000019
【図１８】
2015029718.tif 000020
【図１９】
2015029718.tif 000021
【図２０】
2015029718.tif 000022
【図２１】
2015029718.tif 000023
【図２２】
2015029718.tif 000024
【図２３】
2015029718.tif 000025
【図２４】
2015029718.tif 000026
【図２５】
2015029718.tif 000027